(57)【特許請求の範囲】
【請求項１】
ワイヤレス通信のための装置であって、
第１の媒体アクセス制御（ＭＡＣ）サービスデータユニット（ＭＳＤＵ）を、一意のＭＡＣプロトコルデータユニット（ＭＰＤＵ）シーケンス番号と、前記第１のＭＳＤＵに関連付けられ、ＭＳＤＵ間で別個であるＭＳＤＵシーケンス番号とを各々が有する、第１の複数のＭＰＤＵへと分割するように構成された少なくとも１つの処理システム、ここにおいて、前記少なくとも１つの処理システムは、少なくとも前記第１のＭＳＤＵを処理するためのパラメータのセットを有する少なくとも１つのフレームを生成するようにさらに構成され、前記パラメータのセットは、前記第１の複数のＭＰＤＵが送信のために出力される送信ウィンドウについての少なくともＭＰＤＵ開始シーケンス番号（ＳＳＮ）およびＭＳＤＵ ＳＳＮに関連付けられ、と、
受信側への送信のために前記第１の複数のＭＰＤＵを出力するように構成された第１のインターフェース、ここにおいて、前記第１のインターフェースは、前記受信側への送信のために前記少なくとも１つのフレームを出力するようにさらに構成される、と、
を備える、装置。
【請求項２】
各ＭＰＤＵは、
前記一意のＭＰＤＵシーケンス番号のインジケーションと、
前記第１のＭＳＤＵに関連付けられた前記ＭＳＤＵシーケンス番号のインジケーションと、
前記ＭＰＤＵが前記第１のＭＳＤＵの開始ＭＰＤＵであるかまたは終了ＭＰＤＵであるかのインジケーションと
を備える制御フィールドを有する、請求項１に記載の装置。
【請求項３】
前記パラメータのセットはまた、
いくつのビットがＭＰＤＵシーケンス番号のために使用されるかのインジケーションと、
いくつのビットがＭＳＤＵシーケンス番号のために使用されるかのインジケーションと  を備える、請求項１に記載の装置。
【請求項４】
前記第１の複数のＭＰＤＵは、アグリゲートされたＭＰＤＵ（Ａ−ＭＰＤＵ）を介した送信のために出力される、請求項１に記載の装置。
【請求項５】
前記少なくとも１つの処理システムは、少なくとも第２の媒体アクセス制御（ＭＡＣ）サービスデータユニット（ＭＳＤＵ）を、一意のＭＡＣプロトコルデータユニット（ＭＰＤＵ）シーケンス番号と、前記第２のＭＳＤＵに関連付けられた別個のＭＳＤＵシーケンス番号とを各々が有する、第２の複数のＭＰＤＵへと分割するようにさらに構成され、
前記第１のインターフェースは、前記Ａ−ＭＰＤＵを介した送信のために前記第２の複数のＭＰＤＵを出力するようにさらに構成される、
請求項４に記載の装置。
【請求項６】
前記受信側から１つまたは複数のブロック確認応答フレームを取得するように構成された第２のインターフェースをさらに備え、前記１つまたは複数のブロック確認応答フレームは、前記第１の複数のＭＰＤＵのうちのどれが前記受信側によって成功裏に受信されたかを示し、
前記少なくとも１つの処理システムは、前記第１の複数のＭＰＤＵの各々が前記受信側によって成功裏に受信されたことを前記１つまたは複数のブロック確認応答フレームが示す場合に、送信バッファから前記第１のＭＳＤＵを解放するようにさらに構成される、請求項１に記載の装置。
【請求項７】
前記受信側から１つまたは複数のブロック確認応答フレームを取得するように構成された第２のインターフェースをさらに備え、前記１つまたは複数のブロック確認応答フレームは、前記第１の複数のＭＰＤＵのうちのどれが前記受信側によって成功裏に受信されたかを示し、
前記少なくとも１つの処理システムは、前記受信側によって成功裏に受信されなかったことを前記１つまたは複数のブロック確認応答フレームが示す前記第１の複数のＭＰＤＵのうちの少なくとも１つを含むフレームを生成するようにさらに構成され、
前記第１のインターフェースは、送信のために前記フレームを出力するようにさらに構成される、請求項１に記載の装置。
【請求項８】
前記受信側から１つまたは複数のブロック確認応答フレームを取得するように構成された第２のインターフェースをさらに備え、前記１つまたは複数のブロック確認応答フレームは、前記第１の複数のＭＰＤＵのうちのどれが前記受信側によって成功裏に受信されたかを示し、
前記少なくとも１つの処理システムは、第２のＭＳＤＵを、一意のＭＰＤＵシーケンス番号と、前記第２のＭＳＤＵに関連付けられた別個のＭＳＤＵシーケンス番号とを各々が有する、第２の複数のＭＰＤＵへと分割するようにさらに構成され、
前記１つまたは複数のブロック確認応答フレームは、前記第２の複数のＭＰＤＵも含むアグリゲートされたＭＰＤＵ（Ａ−ＭＰＤＵ）を備える、請求項１に記載の装置。
【請求項９】
前記受信側から１つまたは複数のブロック確認応答フレームを取得するように構成された第２のインターフェースをさらに備え、前記１つまたは複数のブロック確認応答フレームは、前記第１の複数のＭＰＤＵのうちのどれが前記受信側によって成功裏に受信されたかを示し、
前記少なくとも１つの処理システムは、
前記受信側によって成功裏に受信されなかったものとして前記１つまたは複数のブロック確認応答フレームによって示された少なくとも１つのＭＰＤＵに対応する少なくとも１つのＭＳＤＵを破棄することと、
前記受信側に前記破棄されたＭＰＤＵを処理することをスキップさせるために選択されるＭＰＤＵ開始シーケンス番号（ＳＳＮ）およびＭＳＤＵ ＳＳＮについての値を有する少なくとも１つのフレームを生成することと
を行うようにさらに構成され、前記第１のインターフェースは、前記受信側への送信のために前記少なくとも１つのフレームを出力するようにさらに構成される、
請求項１に記載の装置。
【請求項１０】
前記少なくとも１つのフレームは、ブロック確認応答要求フレームを備える、請求項９に記載の装置。
【請求項１１】
ワイヤレス通信のための装置であって、
第１の媒体アクセス制御（ＭＡＣ）サービスデータユニット（ＭＳＤＵ）から、一意の媒体アクセス制御（ＭＡＣ）プロトコルデータユニット（ＭＰＤＵ）シーケンス番号と、前記第１のＭＳＤＵに関連付けられ、ＭＳＤＵ間で別個であるＭＳＤＵシーケンス番号とを各々が有する、第１の複数のＭＰＤＵを取得するように構成された第１のインターフェース、ここにおいて、前記第１のインターフェースは、少なくともＭＰＤＵ開始シーケンス番号（ＳＳＮ）およびＭＳＤＵ ＳＳＮに関連付けられたパラメータのセットを有する少なくとも１つのフレームを取得するようにさらに構成され、と、
前記第１の複数のＭＰＤＵの前記ＭＰＤＵシーケンス番号および前記ＭＳＤＵシーケンス番号に基づいて受信バッファを制御するように構成された少なくとも１つの処理システム、ここにおいて、前記少なくとも１つの処理システムは、前記ＭＳＤＵ ＳＳＮに基づいて次の予期されるシーケンス番号についての変数を初期化することと、前記ＭＰＤＵ ＳＳＮに基づいて開始ＭＰＤＵシーケンス番号についての変数を初期化することとを行うように構成される、と、
を備える、装置。
【請求項１２】
各ＭＰＤＵは、
前記一意のＭＰＤＵシーケンス番号の第１のインジケーションと、
前記ＭＳＤＵシーケンス番号の第２のインジケーションと、
前記ＭＰＤＵがＭＳＤＵの開始ＭＰＤＵであるかまたは終了ＭＰＤＵであるかの第３のインジケーションと
を備える制御フィールドを有し、前記少なくとも１つの処理システムは、
前記第３のインジケーションに基づいて、ＭＰＤＵが第１のＭＳＤＵの終了ＭＰＤＵであることを検出することと、
前記第１のＭＳＤＵに関連付けられた全てのＭＰＤＵが成功裏に受信されているかどうかを、前記検出後に決定することと、
前記決定が、前記第１のＭＳＤＵに関連付けられた全てのＭＰＤＵが成功裏に受信されているというものである場合に、前記受信バッファから前記第１のＭＳＤＵを解放することと
を行うことによって前記受信バッファを維持するように構成される、
請求項１１に記載の装置。
【請求項１３】
前記少なくとも１つの処理システムは、前記受信バッファが前記第１のＭＳＤＵのＭＳＤＵシーケンス番号より低いＭＳＤＵシーケンス番号の第２のインジケーションを有する制御フィールドを有するいかなるＭＰＤＵも含まない場合にのみ、前記第１のＭＳＤＵを解放するように構成される、請求項１２に記載の装置。
【請求項１４】
前記パラメータのセットはまた、いくつのビットが前記ＭＰＤＵ ＳＳＮのために使用されるか、およびいくつのビットが前記ＭＳＤＵ ＳＳＮのために使用されるかを示し、  前記少なくとも１つの処理システムは、前記示されたビット数に基づいて前記ＭＰＤＵ ＳＳＮおよび前記ＭＳＤＵ ＳＳＮを決定するように構成される、
請求項１１に記載の装置。
【請求項１５】
前記第１のインターフェースは、ＭＰＤＵ開始シーケンス番号（ＳＳＮ）およびＭＳＤＵ ＳＳＮを示す少なくとも１つのフレームを取得するようにさらに構成され、
前記少なくとも１つの処理システムは、前記示されたＭＳＤＵ ＳＳＮより低いＭＳＤＵシーケンス番号または前記示されたＭＰＤＵ ＳＳＮより低いＭＰＤＵシーケンス番号のうちの少なくとも１つを有するＭＰＤＵを、前記受信バッファから破棄するように構成される、
請求項１１に記載の装置。
【請求項１６】
前記少なくとも１つのフレームは、ブロック確認応答要求フレームを備える、請求項１５に記載の装置。
【請求項１７】
ワイヤレスノードであって、
第１の媒体アクセス制御（ＭＡＣ）サービスデータユニット（ＭＳＤＵ）を、一意のＭＡＣプロトコルデータユニット（ＭＰＤＵ）シーケンス番号と、前記第１のＭＳＤＵに関連付けられ、ＭＳＤＵ間で別個であるＭＳＤＵシーケンス番号とを各々が有する、第１の複数のＭＰＤＵへと分割するように構成された少なくとも１つの処理システム、ここにおいて、前記少なくとも１つの処理システムは、少なくとも前記第１のＭＳＤＵを処理するためのパラメータのセットを有する少なくとも１つのフレームを生成するようにさらに構成され、前記パラメータのセットは、前記第１の複数のＭＰＤＵが送信のために出力される送信ウィンドウについての少なくともＭＰＤＵ開始シーケンス番号（ＳＳＮ）およびＭＳＤＵ ＳＳＮに関連付けられ、と、
受信側に前記第１の複数のＭＰＤＵを送信するように構成された送信機、ここにおいて、前記送信機は、前記受信側への送信のために前記少なくとも１つのフレームを出力するようにさらに構成される、と、
を備える、ワイヤレスノード。
【請求項１８】
前記第１の複数のＭＰＤＵを受信するように構成された受信機、
ここにおいて、前記装置は、ワイヤレスノードとして構成される、
をさらに備える、請求項１１に記載の装置。
【発明の詳細な説明】
【関連出願の相互参照】
【０００１】
[0001]本願は、２０１８年６月１２日に出願された米国特許出願第１６／００６，３４９号の優先権を主張し、それは、２０１７年６月２３日に出願された米国仮特許出願第６２／５２４，３９９号の利益を主張し、それらの両方が、本願の譲受人に譲渡され、且つこれによって本願明細書に参照によって明確に組み込まれる。
【技術分野】
【０００２】
[0002]本開示のある特定の態様は概して、ワイヤレス通信に関し、およびより具体的には、大きい（ジャンボ（jumbo））ＭＳＤＵ配信、例えば、複数の媒体アクセス制御プロトコルデータユニット（ＭＰＤＵ）へと分割されたＭＳＤＵの配信、についての技法に関する。
【背景技術】
【０００３】
[0003]ワイヤレス通信ネットワークは、音声、映像、パケットデータ、メッセージング、ブロードキャスト、等のような様々な通信サービスを提供するために広く展開されている。これらのワイヤレスネットワークは、利用可能なネットワークリソースを共有することによって複数のユーザをサポートすることが可能である多元接続ネットワークであり得る。そのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
[0004]ワイヤレス通信システムに対して求められる、増大する帯域幅要件の問題に対処するために、異なる複数のスキームが、高いデータスループットを達成しながらチャネルリソースを共有することによって複数のユーザ端末が単一のアクセスポイントと通信することを可能にするために、開発されている。多入力多出力（ＭＩＭＯ）技術は、通信システムのためのポピュラーな技法として台頭してきた１つのそのようなアプローチを示す。ＭＩＭＯ技術は、米国電子電気学会（ＩＥＥＥ）８０２．１１規格のようないくつかのワイヤレス通信規格において採用されてきた。ＩＥＥＥ８０２．１１は、短距離通信（例えば、数十メートルから数百メートルまで）のためにＩＥＥＥ８０２．１１委員会によって開発されたワイヤレスローカルエリアネットワーク（ＷＬＡＮ）のエアインタフェース規格のセットを示す。
【発明の概要】
【０００５】
[0005]本開示のシステム、方法、およびデバイスは各々、いくつかの態様を有し、それらのうちのいずれも、その望ましい属性を単独で担うものではない。後続する特許請求の範囲によって表されるようなこの開示の範囲を限定することなしに、ここでいくつかの特徴が簡潔に論述されることになる。この論述を考慮した後に、および特に「詳細な説明」と題されたセクションを読んだ後に、この開示の特徴がワイヤレスネットワーク中での改善された通信を含む利点をどのように提供するかが理解されるであろう。
【０００６】
[0006]本開示のある特定の態様は、ワイヤレス通信のための装置を提供する。装置は概して、第１の媒体アクセス制御（ＭＡＣ）サービスデータユニット（ＭＳＤＵ）を、一意のＭＡＣプロトコルデータユニット（ＭＰＤＵ）シーケンス番号と、第１のＭＳＤＵに関連付けられた別個のＭＳＤＵシーケンス番号とを各々が有する、第１の複数のＭＰＤＵへと分割するように構成された少なくとも１つの処理システムと、受信側への送信のために第１の複数のＭＰＤＵを出力するように構成された第１のインターフェースとを含む。
【０００７】
[0007]本開示のある特定の態様は、ワイヤレス通信のための装置を提供する。装置は概して、一意の媒体アクセス制御（ＭＡＣ）プロトコルデータユニット（ＭＰＤＵ）シーケンス番号と、別個のＭＡＣサービスデータユニット（ＭＳＤＵ）シーケンス番号とを各々が有する、第１の複数のＭＰＤＵを取得するように構成された第１のインターフェースと、第１の複数のＭＰＤＵのＭＰＤＵおよびＭＳＤＵシーケンス番号に基づいて受信バッファを維持するように構成された少なくとも１つの処理システムとを含む。
【０００８】
[0008]態様は概して、添付の図面を参照しておよびそれらによって例示されるようにここに実質的に説明されるような、方法、装置、システム、コンピュータ可読媒体、および処理システムを含む。
【０００９】
[0009]前述の目的および関連する目的の達成のために、１つまたは複数の態様は、以下において十分に説明され、且つ特許請求の範囲で特に指摘される特徴を備える。以下の説明および付属の図面は、１つまたは複数の態様のある特定の例示的な特徴を詳細に記載する。これらの特徴は、しかしながら、様々な態様の原理が用いられ得る様々な方法のうちのほんの一部を示しているに過ぎず、およびこの説明は、全てのそのような態様およびそれらの同等物を含むことを意図される。
【００１０】
[0010]本開示の上記された特徴が詳細に理解されることができるように、上記に簡潔に要約されたより具体的な説明が、態様への参照によってなされ得、それらのうちのいくつかは、添付された図面に例示される。しかしながら、添付された図面は、この開示のある特定の典型的な態様のみを例示しており、およびしたがって、その説明が他の同等に効果的な態様を認め得ることから、その範囲を限定していると考慮されるべきではないことに留意されたい。
【図面の簡単な説明】
【００１１】
【図１】本開示のある特定の態様にしたがった、実例的なワイヤレス通信ネットワークを例示する。
【図２】本開示のある特定の態様にしたがった、実例的なアクセスポイント（ＡＰ）およびユーザ端末のブロック図である。
【図３】本開示のある特定の態様にしたがった、実例的なワイヤレスデバイスのブロック図である。
【図４】本開示の態様にしたがった、装置によるワイヤレス通信のための実例的な動作を例示する。
【図４Ａ】図４に示される動作を実行することが可能である実例的なコンポーネントを例示する。
【図５】本開示の態様にしたがった、装置によるワイヤレス通信のための実例的な動作を例示する。
【図５Ａ】図５に示される動作を実行することが可能である実例的なコンポーネントを例示する。
【図６Ａ】本開示の態様にしたがった、シーケンス制御フィールドの例を例示する。
【図６Ｂ】本開示の態様にしたがった、ＭＳＤＵインジケーションフィールド値の例を含む表を例示する。
【図７Ａ】本開示の態様にしたがった、ブロック確認応答開始シーケンス制御サブフィールドの例を例示する。
【図７Ｂ】本開示の態様にしたがった、拡張要素フォーマットの例を例示する。
【図８】本開示の態様にしたがった、複数のＭＳＤＵ送信および関連するＭＰＤＵ再送信の例を例示する。
【図９】本開示の態様にしたがった、未配信のＭＰＤＵの穴をスキップするために使用されるブロック確認応答要求の例を例示する。
【図１０】本開示の態様にしたがってここに説明される技法についての動作を実行するように構成された様々なコンポーネントを含み得る通信デバイスを例示する。
【図１１】本開示の態様にしたがってここに説明される技法についての動作を実行するように構成された様々なコンポーネントを含み得る通信デバイスを例示する。
【００１２】
[0026]理解を容易にするために、同一の参照番号が、可能な場合、図面に共通である同一の要素を指定するために使用されている。一実施形態に説明される要素は、具体的な記載なしに他の実施形態に対して有益に利用され得ることが企図される。
【詳細な説明】
【００１３】
[0027]本開示の様々な態様は、添付図面を参照して以下においてより十分に説明される。この開示は、しかしながら、多くの異なる形態で具現化され得、およびこの開示全体を通じて提示される任意の特定の構造または機能に限定されると解釈されるべきではない。むしろ、これらの態様は、この開示が徹底的且つ完全となり、および当業者に本開示の範囲を十分に伝達するように提供される。ここでの教示に基づき、当業者は、本開示の任意の他の態様とは独立してインプリメントされるか、または組み合わされてインプリメントされるかにかかわらず、本開示の範囲がここに説明される開示の任意の態様をカバーすることを意図されることを認識すべきである。例えば、ここに記載される任意の数の態様を使用して、装置がインプリメントされ得るか、または方法が実施され得る。加えて、本開示の範囲は、ここに記載される開示の様々な態様に加えて、またはそれ以外の、他の構造、機能、あるいは構造および機能を使用して実施されるそのような装置または方法をカバーすることを意図されている。ここに説明される開示の任意の態様が特許請求の範囲の１つまたは複数の要素によって具現化され得ることは理解されるべきである。
【００１４】
[0028]本開示のある特定の態様は、ＩＥＥＥ８０２．１１ワイヤレス通信規格に関して説明され、およびＩＥＥＥ８０２．１１に関連付けられた専門用語を利用する。しかしながら、ここに説明される技法および態様はまた、他の適したワイヤレス通信規格で使用され得ることに留意されたい。
【００１５】
[0029]「例証的（exemplary）」という用語は、ここでは、「例、事例、または例示としての役割を果たすこと」を意味するように使用される。「例証的」であるとしてここに説明されるいずれの態様も、他の態様より好ましいまたは有利であるとして必ずしも解釈されるべきではない。
【００１６】
[0030]特定の態様がここに説明されるが、これらの態様の多くの変形および置換が、本開示の範囲内に含まれる。好ましい態様のいくつかの利益および利点が記述されるが、本開示の範囲は、特定の利益、使用、または目的に限定されることを意図されてはいない。むしろ、本開示の態様は、異なるワイヤレス技術、システム構成、ネットワーク、および送信プロトコルに広く適用可能であることを意図されており、それらのうちのいくつかは、図面および好ましい態様の以下の説明に例として例示される。詳細な説明および図面は単に、限定というよりはむしろ本開示の例示であり、本開示の範囲は、添付された特許請求の範囲およびそれらの同等物によって定義されている。
【００１７】
[0031]ここに説明される技法は、直交多重化スキームに基づく通信システムを含む様々なブロードバンドワイヤレス通信システムのために使用され得る。そのような通信システムの例は、空間分割多元接続（ＳＤＭＡ）システム、時分割多元接続（ＴＤＭＡ）システム、直交周波数分割多元接続（ＯＦＤＭＡ）システム、およびシングルキャリア周波数分割多元接続（ＳＣ−ＦＤＭＡ）システムを含む。ＳＤＭＡシステムは、複数のユーザ端末に属するデータを同時に送信するために、十分に異なる方向を利用し得る。ＴＤＭＡシステムは、複数のユーザ端末が、異なるタイムスロットへと送信信号を分割することによって同じ周波数チャネルを共有することを可能にし得、各タイムスロットは、異なるユーザ端末に割り当てられる。ＯＦＤＭＡシステムは、直交周波数分割多重化（ＯＦＤＭ）を利用し、それは、複数の直交サブキャリアへとシステム帯域幅全体を区分化する変調技法である。これらのサブキャリアはまた、トーン、ビン、等と呼ばれ得る。ＯＦＤＭでは、各サブキャリアは、データで独立して変調され得る。ＳＣ−ＦＤＭＡシステムは、システム帯域幅にわたって分散されたサブキャリア上で送信するためにインターリーブドＦＤＭＡ（ＩＦＤＭＡ）を、隣接サブキャリアのブロック上で送信するためにローカライズドＦＤＭＡ（ＬＦＤＭＡ）を、または隣接サブキャリアの複数のブロック上で送信するためにエンハンストＦＤＭＡ（ＥＦＤＭＡ）を利用し得る。一般に、変調シンボルは、ＯＦＤＭでは周波数ドメイン中で、およびＳＣ−ＦＤＭＡでは時間ドメイン中で送られる。
【００１８】
[0032]ここでの教示は、多様なワイヤードまたはワイヤレス装置（例えば、ノード）へと組み込まれ得る（例えば、それら内でインプリメントされ得るか、またはそれらによって実行され得る）。いくつかの態様では、ここでの教示にしたがってインプリメントされるワイヤレスノードは、アクセスポイントまたはアクセス端末を備え得る。
【００１９】
[0033]アクセスポイント（「ＡＰ」）は、ワイヤレスノード、ノードＢ、無線ネットワークコントローラ（「ＲＮＣ」）、発展型ノードＢ（ｅＮＢ）、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の専門用語を備え得るか、それらとしてインプリメントされ得るか、またはそれらとして知られ得る。
【００２０】
[0034]アクセス端末（「ＡＴ」）は、ワイヤレスノード、加入者局、加入者ユニット、モバイル局（ＭＳ）、リモート局、リモート端末、ユーザ端末（ＵＴ）、ユーザエージェント、ユーザデバイス、ユーザ機器（ＵＥ）、ユーザ局、または何らかの他の専門用語を備え得るか、それらとしてインプリメントされ得るか、またはそれらとして知られ得る。いくつかのインプリメンテーションでは、アクセス端末は、セルラ電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、局（「ＳＴＡ」）、またはワイヤレスモデムに接続された何らかの他の適した処理デバイスを備え得る。それ故に、ここに教示される１つまたは複数の態様は、電話（例えば、セルラ電話またはスマートフォン）、コンピュータ（例えば、ラップトップ）、タブレット、ポータブル通信デバイス、ポータブルコンピューティングデバイス（例えば、携帯情報端末）、エンターテインメントデバイス（例えば、音楽またはビデオデバイス、あるいは衛星ラジオ）、全地球測位システム（ＧＰＳ）デバイス、あるいは、ワイヤレスまたはワイヤード媒体を介して通信するように構成された任意の他の適したデバイスへと組み込まれ得る。いくつかの態様では、ＡＴは、ワイヤレスノードであり得る。そのようなワイヤレスノードは、例えば、ワイヤードまたはワイヤレス通信リンクを介して、ネットワーク（例えば、セルラネットワークまたはインターネットのようなワイドエリアネットワーク）のための、またはそれへの接続性を提供し得る。  
実例的なワイヤレス通信システム
【００２１】
[0035]図１は、本開示の態様が実行され得るシステム１００を例示している。例えば、複数のユーザ端末１２０は、アクセスポイント１１０とのアソシエーションより前に、アクセスポイント１１０とのランダムアクセス通信を実行し得る。さらに、アクセスポイント１１０は、複数のユーザ端末１２０の各々に対するＡＣＫを含むメッセージを生成し、およびユーザ端末１２０にそのメッセージをブロードキャストし得る。
【００２２】
[0036]システム１００は、例えば、アクセスポイントおよびユーザ端末を有する多元接続多入力多出力（ＭＩＭＯ）システム１００であり得る。システム１００はさらに、マルチユーザ（ＭＵ）−ＭＩＭＯおよびＭＵ−ＯＤＦＭＡ通信をサポートし得る。簡潔さのために、図１には１つのアクセスポイント１１０のみが示されている。アクセスポイントは概して、ユーザ端末と通信する固定局であり、および基地局とも、または何らかの他の専門用語でも呼ばれ得る。ユーザ端末は、固定またはモバイルであり得、およびモバイル局、ワイヤレスデバイス、または何らかの他の専門用語でも呼ばれ得る。アクセスポイント１１０は、ダウンリンクおよびアップリンク上で任意の所与の瞬間において１つまたは複数のユーザ端末１２０と通信し得る。ダウンリンク（すなわち、順方向リンク）は、アクセスポイントからユーザ端末への通信リンクであり、およびアップリンク（すなわち、逆方向リンク）は、ユーザ端末からアクセスポイントへの通信リンクである。ユーザ端末はまた、別のユーザ端末とピアツーピアで通信し得る。
【００２３】
[0037]システムコントローラ１３０は、これらのＡＰおよび／または他のシステムに対して調整および制御を提供し得る。ＡＰは、例えば、システムコントローラ１３０によって管理され得、それは、無線周波数電力、チャネル、認証、およびセキュリティに対する調整を扱い得る。システムコントローラ１３０は、バックホールを介してＡＰと通信し得る。ＡＰはまた、例えば、ワイヤレスまたはワイヤラインバックホールを介して直接的または間接的に、互いと通信し得る。
【００２４】
[0038]以下の開示の一部分が、空間分割多元接続（ＳＤＭＡ）を介して通信することが可能であるユーザ端末１２０を説明することになる一方で、ある特定の態様では、ユーザ端末１２０はまた、ＳＤＭＡをサポートしないいくつかのユーザ端末を含み得る。このことから、そのような態様では、ＡＰ１１０は、ＳＤＭＡユーザ端末と非ＳＤＭＡユーザ端末との両方と通信するように構成され得る。このアプローチは、好都合なことに、より古いバージョンのユーザ端末（「レガシー」局）が事業展開され続けることを可能にし得、それらの耐用寿命を延長しつつ、適切であると見なされる場合により新しいＳＤＭＡユーザ端末が導入されることを可能にする。
【００２５】
[0039]システム１００は、ダウンリンクおよびアップリンク上でのデータ送信のために複数の送信アンテナおよび複数の受信アンテナを用いる。アクセスポイント１１０は、Ｎap個のアンテナを装備され、およびダウンリンク送信については多入力（ＭＩ）を、およびアップリンク送信については多出力（ＭＯ）を表す。Ｋ個の選択されたユーザ端末１２０のセットは集合的に、ダウンリンク送信については多出力を、およびアップリンク送信については多入力を表す。純粋なＳＤＭＡでは、Ｋ個のユーザ端末のためのデータシンボルストリームが、何らかの手段によってコード、周波数、または時間で多重化されていない場合に、Ｎap≧Ｋ≧１を有することが所望される。データシンボルストリームが、ＴＤＭＡ技法、ＣＤＭＡを用いる異なるコードチャネル、ＯＦＤＭを用いるサブバンドの互いに素なセット、等を使用して多重化されることができる場合、Ｋは、Ｎapより大きくなり得る。各選択されたユーザ端末は、アクセスポイントにユーザ固有データを送信および／またはアクセスポイントからユーザ固有データを受信する。一般に、各選択されたユーザ端末は、１つまたは複数のアンテナ（すなわち、Ｎut≧１）を装備され得る。Ｋ個の選択されたユーザ端末は、同じまたは異なる数のアンテナを有することができる。
【００２６】
[0040]システム１００は、時分割複信（ＴＤＤ）システムまたは周波数分割複信（ＦＤＤ）システムであり得る。ＴＤＤシステムでは、ダウンリンクおよびアップリンクは、同じ周波数帯域を共有する。ＦＤＤシステムでは、ダウンリンクおよびアップリンクは、異なる周波数帯域を使用する。ＭＩＭＯシステム１００はまた、送信のために、単一のキャリアまたは複数のキャリアを利用し得る。各ユーザ端末は、（例えば、コストを抑えるために）単一のアンテナを、または（例えば、追加のコストがサポートされることができる場合には）複数のアンテナを装備され得る。異なるタイムスロットへと送信／受信を分割することによって、ユーザ端末１２０が同じ周波数チャネルを共有する場合、システム１００はまた、ＴＤＭＡシステムであり得、各タイムスロットは、異なるユーザ端末１２０に割り当てられている。
【００２７】
[0041]図２は、図１に例示されているＡＰ１１０およびＵＴ１２０の実例的なコンポーネントを例示しており、それらは、本開示の態様をインプリメントするために使用され得る。ＡＰ１１０およびＵＴ１２０の１つまたは複数のコンポーネントは、本開示の態様を実施するために使用され得る。例えば、アンテナ２５２、Ｔｘ／Ｒｘ２５４、プロセッサ２６０、２７０、２８８、および２９０、および／またはコントローラ２８０は、ここに説明され、且つ図７を参照して例示される動作を実行するために使用され得る。例えば、アンテナ２２４、Ｔｘ／Ｒｘ２２２、プロセッサ２１０、２２０、２４０、および２４２、および／またはコントローラ２３０は、ここに説明され、且つ図６を参照して例示される動作を実行するために使用され得る。
【００２８】
[0042]図２は、ＭＩＭＯシステム１００中の、アクセスポイント１１０と２つのユーザ端末１２０ｍおよび１２０ｘとのブロック図を例示している。アクセスポイント１１０は、Ｎt個のアンテナ２２４ａ〜２２４ａｐを装備されている。ユーザ端末１２０ｍは、Ｎut,m個のアンテナ２５２ｍａ〜２５２ｍｕを装備され、およびユーザ端末１２０ｘは、Ｎut,x個のアンテナ２５２ｘａ〜２５２ｘｕを装備される。アクセスポイント１１０は、ダウンリンクでは送信エンティティであり、およびアップリンクでは受信エンティティである。各ユーザ端末１２０は、アップリンクでは送信エンティティであり、およびダウンリンクでは受信エンティティである。ここに使用される場合、「送信エンティティ」は、ワイヤレスチャネルを介してデータを送信することが可能である独立して動作される装置またはデバイスであり、および「受信エンティティ」は、ワイヤレスチャネルを介してデータを受信することが可能である独立して動作される装置またはデバイスである。以下の説明では、下付き文字「ｄｎ」は、ダウンリンクを示し、下付き文字「ｕｐ」は、アップリンクを示し、Ｎup個のユーザ端末が、アップリンク上での同時送信のために選択され、Ｎdn個のユーザ端末が、ダウンリンク上での同時送信のために選択され、Ｎupは、Ｎdnに等しいことも等しくないこともあり得、ＮupおよびＮdnは、静的な値であり得るか、またはスケジューリング間隔ごとに変化することができる。ビームステアリングまたは何らかの他の空間処理技法が、アクセスポイントおよびユーザ端末において使用され得る。
【００２９】
[0043]アップリンク上では、アップリンク送信のために選択された各ユーザ端末１２０において、送信（ＴＸ）データプロセッサ２８８が、データソース２８６からトラフィックデータを、およびコントローラ２８０から制御データを受信する。コントローラ２８０は、メモリ２８２に結合され得る。ＴＸデータプロセッサ２８８は、ユーザ端末のために選択されたレートに関連付けられたコーディングおよび変調スキームに基づいて、ユーザ端末のためのトラフィックデータを処理（例えば、符号化、インターリーブ、および変調）し、およびデータシンボルストリームを提供する。ＴＸ空間プロセッサ２９０は、データシンボルストリームに対して空間処理を実行し、およびＮut,m個のアンテナのためのＮut,m個の送信シンボルストリームを提供する。トランシーバ２５４の各送信機ユニット（ＴＭＴＲ）は、アップリンク信号を生成するために、それぞれの送信シンボルストリームを受信および処理（例えば、アナログに変換、増幅、フィルタリング、および周波数アップコンバート）する。トランシーバ２５４のＮut,m個の送信機ユニットは、Ｎut,m個のアンテナ２５２からアクセスポイントへの送信のためのＮut,m個のアップリンク信号を提供する。
【００３０】
[0044]Ｎup個のユーザ端末は、アップリンク上での同時送信のためにスケジューリングされ得る。これらのユーザ端末の各々は、そのデータシンボルストリームに対して空間処理を実行し、およびアクセスポイントにアップリンク上でその送信シンボルストリームのセットを送信する。
【００３１】
[0045]いくつかの態様では、Ｎup個のユーザ端末は、アップリンク上での送信のためにスケジュールされないことがあり得、および代わりに、アクセスポイント１１０が、Ｎup個のユーザ端末にリソース（例えば、シンボル、空間ストリーム、リソースユニット、等）を識別するトリガフレームをブロードキャストすることによって、アクセスポイント１１０と通信するために、アップリンク上でのそれらリソースへのランダムアクセスを可能にし得る。例えば、Ｎup個のユーザ端末は、衝突を避けるためにリソースを利用する前に、リソースが利用可能であるかどうかをユーザ端末が最初にチェックするランダムバックオフメカニズムを使用し得る。Ｎup個のユーザ端末は、アクセスポイントとのアソシエーションより前に、アクセスポイントと通信するために、アップリンク上でのリソースへのランダムアクセスを使用し得る。
【００３２】
[0046]アクセスポイント１１０において、Ｎap個のアンテナ２２４ａ〜２２４ａｐは、アップリンク上で送信する全てのＮup個のユーザ端末からアップリンク信号を受信する。例えば、アクセスポイント１１０は、アップリンク上でランダムアクセスプロシージャを使用してＮup個のユーザ端末からデータを受信し得る。各アンテナ２２４は、受信機ユニット（ＲＣＶＲ）を含むそれぞれのトランシーバ２２２に、受信された信号を提供する。トランシーバ２２２の各受信機ユニットは、トランシーバ２５４の送信機ユニットによって実行されたものと相補的な処理を実行し、および受信されたシンボルストリームを提供する。ＲＸ空間プロセッサ２４０は、トランシーバ２２２のＮap個の受信機ユニットからのＮap個の受信されたシンボルストリームに対して受信機空間処理を実行し、およびＮup個の復元されたアップリンクデータシンボルストリームを提供する。受信機空間処理は、チャネル相関行列反転（ＣＣＭＩ：the channel correlation matrix inversion）、最小平均２乗誤差（ＭＭＳＥ：minimum mean square error）、ソフト干渉除去（ＳＩＣ：soft interference cancellation）、または何らかの他の技法にしたがって実行される。各復元されたアップリンクデータシンボルストリームは、それぞれのユーザ端末によって送信されたデータシンボルストリームの推定値である。ＲＸデータプロセッサ２４２は、復号されたデータを取得するために、そのストリームのために使用されたレートにしたがって、各復元されたアップリンクデータシンボルストリームを処理（例えば、復調、デインターリーブ、および復号）する。各ユーザ端末のための復号されたデータは、記憶のためにデータシンク２４４に提供され得る、および／またはさらなる処理のためにコントローラ２３０に提供され得る。コントローラ２３０は、メモリ２３２に結合され得る。
【００３３】
[0047]ダウンリンク上では、アクセスポイント１１０において、ＴＸデータプロセッサ２１０は、データソース２０８から、ダウンリンク送信のためにスケジューリングされたＮdn個のユーザ端末のためのトラフィックデータを、コントローラ２３０から制御データを、およびことによるとスケジューラ２３４から他のデータを受信する。様々なタイプのデータが、異なるトランスポートチャネル上で送られ得る。ＴＸデータプロセッサ２１０は、そのユーザ端末のために選択されたレートに基づいて、各ユーザ端末のためのトラフィックデータを処理（例えば、符号化、インターリーブ、および変調）する。ＴＸデータプロセッサ２１０は、Ｎdn個のユーザ端末のためのＮdn個のダウンリンクデータシンボルストリームを提供する。ＴＸ空間プロセッサ２２０は、Ｎdn個のダウンリンクデータシンボルストリームに対して（本開示に説明されるように、プリコーディングまたはビームフォーミングのような）空間処理を実行し、およびＮap個のアンテナのためのＮap個の送信シンボルストリームを提供する。トランシーバ２２２の各送信機ユニットは、ダウンリンク信号を生成するために、それぞれの送信シンボルストリームを受信および処理する。トランシーバ２２２のＮap個の送信機ユニットは、Ｎap個のアンテナ２２４からユーザ端末への送信のためのＮap個のダウンリンク信号を提供する。各ユーザ端末のための復号されたデータは、記憶のためにデータシンク２７２に、および／またはさらなる処理のためにコントローラ２８０に提供され得る。
【００３４】
[0048]いくつかの態様では、アクセスポイント１１０は、ダウンリンク上でのＮdn個のユーザ端末への送信をスケジューリングする代わりに、アップリンク上でランダムアクセスプロシージャを使用してユーザ端末から受信されるデータに基づいて、Ｎdn個のユーザ端末にメッセージをブロードキャストし得る。例えば、アクセスポイント１１０は、複数のＮdn個のユーザ端末に対する確認応答を含む単一のブロードキャストメッセージを生成し、および複数のＮdn個のユーザ端末にダウンリンク上でそのメッセージをブロードキャストし得る。
【００３５】
[0049]各ユーザ端末１２０において、Ｎut,m個のアンテナ２５２は、アクセスポイント１１０からＮap個のダウンリンク信号を受信する。例えば、各ユーザ端末１２０は、複数のユーザ端末に対する確認応答を有するブロードキャストメッセージをアクセスポイント１１０から受信し、および所与のユーザ端末１２０に対する確認応答を処理し得る。トランシーバ２５４の各受信機ユニットは、関連付けられたアンテナ２５２からの受信された信号を処理し、および受信されたシンボルストリームを提供する。ＲＸ空間プロセッサ２６０は、トランシーバ２５４のＮut,m個の受信機ユニットからのＮut,m個の受信されたシンボルストリームに対して受信機空間処理を実行し、およびユーザ端末のための復元されたダウンリンクデータシンボルストリームを提供する。受信機空間処理は、ＣＣＭＩ、ＭＭＳＥ、または何らかの他の技法にしたがって実行される。ＲＸデータプロセッサ２７０は、ユーザ端末のための復号されたデータを取得するために、復元されたダウンリンクデータシンボルストリームを処理（例えば、復調、デインターリーブ、および復号）する。
【００３６】
[0050]各ユーザ端末１２０において、チャネル推定器２７８は、ダウンリンクチャネル応答を推定し、およびダウンリンクチャネル推定値を提供し、それは、チャネル利得推定値、ＳＮＲ推定値、雑音分散（noise variance）、等を含み得る。同様に、アクセスポイント１１０において、チャネル推定器２２８は、アップリンクチャネル応答を推定し、およびアップリンクチャネル推定値を提供する。各ユーザ端末のためのコントローラ２８０は典型的に、ユーザ端末のための空間フィルタ行列を、そのユーザ端末のためのダウンリンクチャネル応答行列Ｈdn,mに基づいて導出する。コントローラ２３０は、有効アップリンクチャネル応答行列Ｈup,effに基づいて、アクセスポイント１１０のための空間フィルタ行列を導出する。各ユーザ端末のためのコントローラ２８０は、アクセスポイント１１０にフィードバック情報（例えば、ダウンリンクおよび／またはアップリンク固有ベクトル、固有値、ＳＮＲ推定値、等）を送り得る。コントローラ２３０および２８０はまた、それぞれ、アクセスポイント１１０およびユーザ端末１２０における様々な処理ユニットの動作を制御する。
【００３７】
[0051]図３は、ＭＩＭＯシステム１００内で用いられ得るワイヤレスデバイス３０２中で利用され得る様々なコンポーネントを例示している。ワイヤレスデバイス３０２は、ここに説明される様々な方法をインプリメントするように構成され得るデバイスの例である。例えば、ワイヤレスデバイスは、それぞれ図６および図７に例示されている動作６００および７００をインプリメントし得る。ワイヤレスデバイス３０２は、アクセスポイント１１０またはユーザ端末１２０であり得る。例えば、ワイヤレスデバイス３０２は、アクセスポイント１１０とアソシエートする前に、アクセスポイント１１０にデータを送るために、ランダムアクセスプロシージャを使用するように構成されたユーザ端末であり得る。別の例では、ワイヤレスデバイス３０２は、ランダムアクセスプロシージャを使用して複数のユーザ端末１２０から受信されたデータに基づいて、複数のユーザ端末１２０に対する確認応答を含む単一のメッセージを生成し、アクセスポイント１１０とアソシエートされていない複数のユーザ端末１２０にブロードキャストするように構成されたアクセスポイント１１０であり得る。
【００３８】
[0052]ワイヤレスデバイス３０２は、ワイヤレスデバイス３０２の動作を制御するプロセッサ３０４を含み得る。プロセッサ３０４はまた、中央処理ユニット（ＣＰＵ）と呼ばれ得る。読取専用メモリ（ＲＯＭ）とランダムアクセスメモリ（ＲＡＭ）との両方を含み得るメモリ３０６は、プロセッサ３０４に命令およびデータを提供する。メモリ３０６の一部分はまた、不揮発性ランダムアクセスメモリ（ＮＶＲＡＭ）を含み得る。プロセッサ３０４は典型的に、メモリ３０６内に記憶されたプログラム命令に基づいて論理および算術演算を実行する。メモリ３０６中の命令は、ここに説明される方法をインプリメントするように実行可能であり得る。例えば、プロセッサ３０４は、ランダムアクセスプロシージャを実行し、複数の確認応答を有するメッセージを生成し、確認応答を処理する、等を行い得る。
【００３９】
[0053]ワイヤレスデバイス３０２はまた、ワイヤレスデバイス３０２とリモートノードとの間でのデータの送信および受信を可能にするために、送信機３１０および受信機３１２を含み得るハウジング３０８を含み得る。送信機３１０および受信機３１２は、トランシーバ３１４へと組み合わされ得る。単数または複数の送信アンテナ３１６が、ハウジング３０８に取り付けられ、およびトランシーバ３１４に電気的に結合され得る。ワイヤレスデバイス３０２はまた、複数の送信機、複数の受信機、および複数のトランシーバを含み得る（図示せず）。例えば、トランシーバ３１４は、ランダムアクセスプロシージャを使用してデータを送り、データを受信し、複数の確認応答を有するブロードキャストメッセージを送り、複数の確認応答を有するブロードキャストメッセージを受信する、等を行い得る。
【００４０】
[0054]ワイヤレスデバイス３０２はまた、トランシーバ３１４によって受信される信号のレベルを検出および定量化する取り組みにおいて使用され得る信号検出器３１８を含み得る。信号検出器３１８は、そのような信号を、総エネルギー、シンボルあたりのサブキャリアあたりのエネルギー、電力スペクトル密度および他の信号として検出し得る。ワイヤレスデバイス３０２はまた、信号を処理する際に使用するためのデジタルシグナルプロセッサ（ＤＳＰ）３２０を含み得る。
【００４１】
[0055]ワイヤレスデバイス３０２の様々なコンポーネントは、バスシステム３２２によってともに結合され得、それは、データバスに加えて、電力バス、制御信号バス、および状態信号バスを含み得る。  
ジャンボＭＳＤＵ配信の例
【００４２】
[0056]ブロック確認応答（Ａｃｋ）は、ワイヤレスネットワーク中での信頼性の高いデータ配信のための既知のメカニズムである。ブロックＡｃｋメカニズムは、１つのブロック確認応答フレーム中の複数の媒体アクセス制御（ＭＡＣ）プロトコルデータユニット（ＭＰＤＵ）の配信の通知をアグリゲートする。これを行うことは、リンクスループットおよび利用を実質的に増大させ得る。ブロックＡｃｋメカニズムは、ＭＰＤＵより長くないＭＡＣサービスデータユニット（ＭＳＤＵ）と連携する（work with）ように最適化され得る。ＭＰＤＵサイズは、より長いフレームを保護することができないフレーム制御シーケンスの制限に起因して、８Ｋバイトに制限され得る。
【００４３】
[0057]その一方で、ＭＳＤＵサイズは、ＴＣＰ／ＩＰ、ＵＳＢ、およびＦＣＳフィールドサイズに制限されない他のもののような、より高いレベルに依存し得る。したがって、ＭＳＤＵサイズは、ＭＰＤＵ制限より実質的に高くあり得る。そのようないわゆる「ジャンボ」ＭＳＤＵ（ＪＭＳＤＵ）の、ＭＰＤＵ制限に等しいフラグメントへの分割は、ユーザデバイスにおいて実質的なオーバヘッド、電力、および処理時間を必要とし得る。
【００４４】
[0058]現在のブロック確認応答メカニズムは、ＭＰＤＵより長いＭＳＤＵの配信を可能にしない。ＭＰＤＵより実質的に長いＭＳＤＵの送信を可能にする他のソリューションは、信頼性の高いＭＳＤＵ配信を提供しない。例えば、失われたまたは拒否されたＭＳＤＵのケースでは、受信側は、ＭＳＤＵのうちのいくつかが失われたといういかなるインジケーションも得ない。
【００４５】
[0059]本開示の態様は、しかしながら、通常のＭＳＤＵのものと同じまたは同様のデータ転送の信頼性のレベルを維持するジャンボＭＳＤＵ（すなわち、ＭＰＤＵサイズ制限より大きいＭＳＤＵ）の配信のための技法を提供する。いくつかのケースでは、ここに提供されるジャンボＭＳＤＵ配信メカニズムは、発信元が、ＭＳＤＵ配信の成功を追跡し、および発信元がＪＭＳＤＵの配信をスキップすると決めるケースでは、ＪＭＳＤＵが失われたまたはスキップされたと受信側に通知することを可能にする。
【００４６】
[0060]ここに説明されるように、ＪＭＳＤＵ配信は、ＭＰＤＵのＭＡＣ内部配信、通知、および再送信からの、ＭＳＤＵのＭＡＣサービスアクセスポイント（ＳＡＰ）エンドツーエンド配信および通知の分離（a separation）を介して提供され得る。
【００４７】
[0061]いくつかのケースでは、分離は、（例えば、ブロックＡｃｋ合意（agreement）の確立を介して）発信元と受信側との間で通信されるＭＳＤＵサポートの新しいパラメータの導入に伴って達成され得る。これらの新しいパラメータの例は、ＭＰＤＵ＿Ｍｏｄｕｌｏ、ＭＳＤＵ＿Ｍｏｄｕｌｏ、ＭＰＤＵ＿ＳＳＮ、およびＭＳＤＵ＿ＳＳＮを含む。以下に説明されることになるように、発信元および受信側は、送信バッファ（発信元）および受信バッファ（受信側）を制御するために使用されるローカル変数を初期化するために、これらのパラメータを使用し得る。
【００４８】
[0062]いくつかのケースでは、発信元側において、パラメータの新しいセット、例えば、ＷｉｎＳｔａｒｔOJ、ＷｉｎＳｔａｒｔOJ、およびＷｉｎＳｉｚｅOJ、および関連する規則（以下に説明される）が、ＭＳＤＵ送信（送信バッファ）を制御するために使用され得る。
【００４９】
[0063]同様に、受信側上では、新しいパラメータＷｉｎＳｔａｒｔBJおよび関連する規則（以下に説明される）が、ＭＳＤＵに関連して受信側の受信バッファを制御するために提供され得る。いくつかのケースでは、ｅｎｄ＿ｏｆ＿ＭＳＤＵシグナリングを使用するための新しい規則は、受信側の受信バッファからＭＳＤＵを解放するために使用され得る。ＢｌｏｃｋＡｃｋＲｅｑの受信時にＭＳＤＵを解放するためにｓｔａｒｔ＿ｏｆ＿ＭＳＤＵおよびｅｎｄ＿ｏｆ＿ＭＳＤＵインジケーションを使用する新しい規則もまた導入され得る、またはその規則は、破棄されたＭＳＤＵによって作成される（ＭＳＤＵ）シーケンス番号空間中の穴を超えて（past）受信側のＷｉｎＳｔａｒｔBおよびＷｉｎＳｔａｒｔBJ値をシフトするために、ロバストなＡＤＤＢＡ要求フレームを使用し得る。いくつかのケースでは、第１のＭＳＤＵは、受信バッファが第１のＭＳＤＵのＭＳＤＵシーケンス番号より低いＭＳＤＵシーケンス番号の第２のインジケーションを有する制御フィールドを有するいかなるＭＰＤＵも含まない場合にのみ解放され得る。
【００５０】
[0064]図４は、本開示の態様にしたがった、装置によるワイヤレス通信のための実例的な動作４００を例示している。例えば、動作４００は、少なくとも１つの処理システムおよび第１のインターフェースを含む発信元装置によって実行され得る。
【００５１】
[0065]動作４００は、４０２において、第１の媒体アクセス制御（ＭＡＣ）サービスデータユニット（ＭＳＤＵ）を、一意のＭＡＣプロトコルデータユニット（ＭＰＤＵ）シーケンス番号と、第１のＭＳＤＵに関連付けられた別個のＭＳＤＵシーケンス番号とを各々が有する、第１の複数のＭＰＤＵへと分割することによって始まる。４０４において、発信元は、受信側への送信のために第１の複数のＭＰＤＵを出力する。いくつかのケースでは、第１の複数のＭＰＤＵは、アグリゲートされたＭＰＤＵ（Ａ−ＭＰＤＵ）を介した送信のために出力される。
【００５２】
[0066]いくつかのケースでは、動作４００はさらに、少なくとも第１のＭＳＤＵを処理するためのパラメータのセットを有する少なくとも１つのフレームを生成する発信元装置を含み得、パラメータのセットは、第１の複数のＭＰＤＵが送信のために出力される送信ウィンドウについての少なくともＭＰＤＵ開始シーケンス番号（ＳＳＮ）およびＭＳＤＵ ＳＳＮに関連付けられる。動作４００はさらに、受信側への送信のために少なくとも１つのフレームを出力する発信元装置を含み得る。いくつかのケースでは、パラメータのセットはまた、いくつのビットがＭＰＤＵシーケンス番号のために使用されるか、および／またはいくつのビットがＭＳＤＵシーケンス番号のために使用されるかを示すか、またはそれらのインジケーションを含む。
【００５３】
[0067]図５は、本開示の態様にしたがった、装置によるワイヤレス通信のための実例的な動作５００を例示している。例えば、動作５００は、第１のインターフェースおよび少なくとも１つの処理システムを含む受信側装置によって実行され得る。
【００５４】
[0068]動作５００は、５０２において、一意の媒体アクセス制御（ＭＡＣ）プロトコルデータユニット（ＭＰＤＵ）シーケンス番号と、別個のＭＡＣサービスデータユニット（ＭＳＤＵ）シーケンス番号とを各々が有する、第１の複数のＭＰＤＵを取得することによって始まる。５０４において、受信側は、第１の複数のＭＰＤＵのＭＰＤＵおよびＭＳＤＵシーケンス番号に基づいて受信バッファを維持する。いくつかのケースでは、第１の複数のＭＰＤＵは、アグリゲートされたＭＰＤＵ（Ａ−ＭＰＤＵ）を介して取得される。
【００５５】
[0069]いくつかのケースでは、動作５００はさらに、少なくともＭＰＤＵ開始シーケンス番号（ＳＳＮ）およびＭＳＤＵ ＳＳＮに関連付けられたパラメータのセットを有する少なくとも１つのフレームを取得する受信側装置を含み得る。動作５００はさらに、ＭＳＤＵ ＳＳＮに基づいて次の予期されるシーケンス番号についての変数を初期化することと、ＭＰＤＵ ＳＳＮに基づいて開始ＭＰＤＵシーケンス番号についての変数を初期化することとを行う受信側装置を有することを含み得る。いくつかのケースでは、パラメータのセットはまた、いくつのビットがＭＰＤＵ ＳＳＮのために使用されるか、およびいくつのビットがＭＳＤＵ ＳＳＮのために使用されるかを示す。さらに、動作５００はまた、示されたビット数に基づいてＭＰＤＵ ＳＳＮおよびＭＳＤＵ ＳＳＮを決定する受信側装置を有することを含み得る。
【００５６】
[0070]いくつかのケースでは、動作５００はさらに、ＭＰＤＵ開始シーケンス番号（ＳＳＮ）およびＭＳＤＵ ＳＳＮを示す少なくとも１つのフレームを取得する受信側装置を含み得る。動作５００はさらに、示されたＭＳＤＵ ＳＳＮより低いＭＳＤＵシーケンス番号または示されたＭＰＤＵ ＳＳＮより低いＭＰＤＵシーケンス番号のうちの少なくとも１つを有するＭＰＤＵを、受信バッファから破棄する受信側装置を有することを含み得る。
【００５７】
[0071]いくつかのケースでは、ジャンボＭＳＤ配信（ＪＭＤ）のためにＭＳＤＵシーケンス番号とＭＰＤＵシーケンス番号との両方を伝達するためのフィールド（サブフィールド）を有する、図６Ａに示されているようなシーケンス制御フィールド構造が提供され得る。示されているように、ＭＳＤＵインジケーションフィールドは、対応するＭＰＤＵがジャンボＭＳＤＵのための開始ＭＰＤＵであるかまたは終了ＭＰＤＵであるかを示すために使用され得る。図６Ｂは、本開示の態様にしたがった、ＭＳＤＵインジケーションフィールド値の例を含む表を例示している。以下に説明されることになるように、同様の構造が、ＢｌｏｃｋＡｃｋフレームに対して提供され得る。いくつかのケースでは、処理システムは、第３のインジケーションに基づいて、ＭＰＤＵが第１のＭＳＤＵの終了ＭＰＤＵであることを検出することと、第１のＭＳＤＵに関連付けられた全てのＭＰＤＵが成功裏に受信されているかどうかを、検出後に決定することとを行うことによって、受信バッファを維持するように構成される。処理システムはその後、決定が、第１のＭＳＤＵに関連付けられた全てのＭＰＤＵが成功裏に受信されているというものである場合に、受信バッファから第１のＭＳＤＵを解放することができる。図７Ａに示されているように、ブロック確認応答要求（ＢｌｏｃｋＡｃｋＲｅｑ）の同様の変形が提供され得る。ブロックＡｃｋ開始シーケンス制御サブフィールドの開始シーケンス番号サブフィールドは、このＢｌｏｃｋＡｃｋＲｅｑフレームが送られる第１のＭＳＤＵまたはＡ−ＭＳＤＵのシーケンス番号を備え得る。図７Ａは、本開示の態様にしたがった、ブロック確認応答開始シーケンス制御サブフィールドの例を例示している。同様の構造が、ＢｌｏｃｋＡｃｋフレームに適用され得る。
【００５８】
[0072]ＪＭＤ下では、ブロックＡｃｋ開始シーケンス制御サブフィールドのＭＳＤＵ ＳＳＮサブフィールドおよびＭＰＤＵ ＳＳＮサブフィールドは、このＢｌｏｃｋＡｃｋＲｅｑフレームが送られる第１のＭＳＤＵまたはＡ−ＭＳＤＵおよび第１のＭＰＤＵのシーケンス番号をそれぞれ備え得る。
【００５９】
[0073]図７Ｂに例示されているように、１つまたは複数のケースでは、ここに論述されるパラメータは、ＡＤＤＢＡ拡張要素を介して提供され得る。この要素は、ＭＰＤＵ＿Ｍｏｄｕｌｏ、ＭＳＤＵ＿Ｍｏｄｕｌｏ、ＭＰＤＵ＿ＳＳＮ、およびＭＳＤＵ＿ＳＳＮのようなサブフィールドを有する、ＪＭＤ能力についての新しいフィールドを追加し得る。
【００６０】
[0074]ブロック確認応答（ブロックＡｃｋ）は、１つまたは複数の特徴を提供され得る。例えば、ＭＰＤＵ＿ＳＮおよびＭＳＤＵ＿ＳＮのシーケンス番号に対するＪＭＤ動作は、それぞれＭＰＤＵ＿ＭｏｄｕｌｏおよびＭＳＤＵ＿Ｍｏｄｕｌｏによって実行される。
【００６１】
[0075]上記に説明されたパラメータは、例えば、ブロックＡｃｋネゴシエーションを介して、ＪＭＤセットアップのために交換され得る。ＪＭＤ下では、ＭＰＤＵ＿Ｂｕｆｆｅｒ＿Ｓｉｚｅは、整数［（ＭＳＤＵの最大サイズ）／（最大ＭＰＤＵサイズ）］以上であることができる。いくつかのケースでは、最大データユニットサイズがオクテット単位であるように、多様な異なる値を、最大ＭＰＤＵサイズは提供され得、およびＭＳＤＵの最大サイズは提供される（最大ＭＳＤＵ）。これらのパラメータの使用を例示するために、ＪＭＤ下では、以下の実例的な値が使用され得る：  
ＭＰＤＵ＿ｍｏｄｕｌｏ＜＝１１；
ＭＰＤＵ＿ｍｏｄｕｌｏ＋ＭＳＤＵ＿ｍｏｄｕｌｏ＝１４；および
ＭＰＤＵ＿Ｂｕｆｆｅｒ＿Ｓｉｚｅ＜＝２MPDU_modulo-2。
【００６２】
[0076]ＪＭＤパラメータは、受信側において受信バッファ動作を制御するために使用され得る。例えば、各ブロックＡｃｋ合意について、受信側は、ＭＡＣ変数ＮｅｘｔＥｘｐｅｃｔｅｄＳｅｑｕｅｎｃｅＮｕｍｂｅｒを維持する。ＮｅｘｔＥｘｐｅｃｔｅｄＳｅｑｕｅｎｃｅＮｕｍｂｅｒは、受け入れられたブロックＡｃｋ合意のＡＤＤＢＡ要求フレームのブロックＡｃｋ開始シーケンス制御フィールドの値に初期化される。ＪＭＤ下では、ＮｅｘｔＥｘｐｅｃｔｅｄＳｅｑｕｅｎｃｅＮｕｍｂｅｒは、受け入れられたブロックＡｃｋ合意のＡＤＤＢＡ要求フレームのブロックＡｃｋ開始シーケンス制御フィールドのＭＳＤＵ ＳＳＮサブフィールドの値に初期化される。
【００６３】
[0077]いくつかのケースでは、パラメータは、ＨＴ即時（HT-immediate）ブロックＡｃｋ構造を定義するために使用され得る。ＷｉｎＳｔａｒｔOは、送信ウィンドウの開始シーケンス番号を指し、およびＷｉｎＳｉｚｅＯは、ブロックＡｃｋ合意中でネゴシエートされたバッファの数である。加えて、ＪＭＤブロックＡｃｋ合意下では、発信元は、送信のためにＭＰＤＵをサブミットするために、ＷｉｎＳｔａｒｔOJおよびＷｉｎＳｉｚｅOJを使用する送信バッファ制御をインプリメントし、および受信側からＢｌｏｃｋＡｃｋフレームを受信すると送信バッファを解放する。ＷｉｎＳｔａｒｔOJは、送信ウィンドウの開始ＭＳＤＵ＿ＳＮであり、およびＷｉｎＳｉｚｅOJは、ＭＳＤＵ＿Ｂｕｆｆｅｒ＿Ｓｉｚｅに等しい、発信元によって設定されたＭＳＤＵの数である。
【００６４】
[0078]完全状態（full-state）および部分状態（partial state）動作中にＭＰＤＵおよび対応するＭＳＤＵの記録（スコアボードコンテクストと呼ばれる）を維持することは、次の通りにここに説明されるパラメータを使用して実行され得る。例えば、ＪＭＤ下では、ＷｉｎＳｔａｒｔR＝ＪＭＤブロックＡｃｋ合意を確立したＡＤＤＢＡ応答フレームを誘発したＡＤＤＢＡ要求フレームからのＭＰＤＵ＿ＳＳＮである。ＪＭＤに関連する以下のプロシージャでは、各受信されたデータフレームについて、ＳＮは、受信されたデータフレームのＭＰＤＵ＿ＳＮサブフィールドの値である。保護されたブロックＡｃｋ合意ではない特定の完全状態動作のＪＭＤブロックＡｃｋ合意に関連する各受信されたＢｌｏｃｋＡｃｋＲｅｑフレームについて、その合意についてのブロック確認応答記録は、次の通りに修正され、ここで、ＳＳＮは、受信されたＢｌｏｃｋＡｃｋＲｅｑフレームのＭＰＤＵ＿ＳＳＮサブフィールドからの値である。
【００６５】
[0079]受信側において、再順序付け（reordering）バッファ制御を受信することは、次の通りに実行され得る。ここに説明される挙動は、ＪＭＤブロックＡｃｋ合意のために部分状態動作または完全状態動作のいずれかを使用するＳＴＡに適用され得る。受信再順序付けバッファは、ＪＭＤブロックＡｃｋ合意ごとに維持されるべきである。各受信再順序付けバッファは、以下を備える記録を含む：受信されているが、次のＭＡＣプロセスまで未だに渡されていない（not yet passed up to ）ＭＳＤＵに属するバッファされたＭＰＤＵ；未だに受信されていない（シーケンス番号の低い順に（in order of ascending））第１のＭＰＤＵのＭＰＤＵシーケンス番号サブフィールドの値を示すＷｉｎＳｔａｒｔBパラメータ；現在の受信ウィンドウ中で受信されることを予期される最も高いシーケンス番号を示すＷｉｎＥｎｄBパラメータ；受信ウィンドウのサイズを示すＷｉｎＳｉｚｅBパラメータ；および未だに受信されていない（シーケンス番号の低い順に）第１のＭＳＤＵのＭＳＤＵシーケンス番号サブフィールドの値を示すＷｉｎＳｔａｒｔBJパラメータ。
【００６６】
[0080]ＷｉｎＳｔａｒｔBは、ＪＭＤブロックＡｃｋ合意を確立したＡＤＤＢＡ応答フレームを誘発したＡＤＤＢＡ要求フレームのＭＰＤＵ開始シーケンス番号サブフィールド値に初期化され得る。ＷｉｎＥｎｄBは、ＷｉｎＳｔａｒｔB＋ＷｉｎＳｉｚｅB−１に初期化され、ここで、ＷｉｎＳｉｚｅBは、６４と、ブロックＡｃｋ合意を確立したＡＤＤＢＡ応答フレームのＭＰＤＵバッファサイズフィールドの値と、のうちのより小さい方に設定される。ＷｉｎＳｔａｒｔBJは、ＪＭＤブロックＡｃｋ合意を確立したＡＤＤＢＡ応答フレームを誘発したＡＤＤＢＡ要求フレームのＭＳＤＵ開始シーケンス番号サブフィールド値に初期化される。
【００６７】
[0081]次のＭＡＣプロセスまで渡されているどのＭＳＤＵも、受信再順序付けバッファから削除され得る。受信側は常に、ＭＳＤＵ＿ＳＮサブフィールド値の小さい順に（in order of increasing）次のＭＡＣプロセスまでＭＳＤＵを渡し得る（説明されることになるように、この規則は、バッファ中に現在あるものより大きいＭＳＤＵおよび／またはＭＰＤＵ ＳＳＮをシグナリングすることによってＭＳＤＵをスキップするために、発信元が受信側にシグナリングすることを可能にし得る）。
【００６８】
[0082]特定のＪＭＤブロックＡｃｋ合意に関連する各受信されたデータＭＰＤＵについて、受信再順序付けバッファ記録は、次の通りに維持／制御されるべきであり、ここで、ＭＰＤＵ＿ＳＮは、受信されたＭＰＤＵのシーケンス番号サブフィールドの値である：  
ＷｉｎＳｔａｒｔB＜＝ＭＰＤＵ＿ＳＮ＜＝ＷｉｎＥｎｄBの場合、
１）同じシーケンス番号を有するＭＰＤＵが既に存在しない場合、受信されたＭＰＤＵをバッファ中に記憶し、そうでない場合は、ＭＰＤＵを破棄する。  
２）ＭＰＤＵ＿ＳＮ＝ＷｉｎＳｔａｒｔBからｅｎｄ＿ｏｆ＿ＭＳＤＵ＝ｔｒｕｅを有するＭＰＤＵまでのＭＰＤＵ＿ＳＮの昇順の（in increasing order of）ＭＳＤＵ＿ＳＮを有する全てのＭＰＤＵがバッファ中に記憶される場合、次のＭＡＣプロセスまでＭＳＤＵを渡す。そうでない場合は７）
３）ＷｉｎＳｔａｒｔBを、次のＭＡＣプロセスまで渡されたＭＳＤＵの最後のＭＰＤＵのＭＰＤＵ＿ＳＮサブフィールドの値に１を加えたものに設定する。  
４）ＷｉｎＳｔａｒｔBJを、次のＭＡＣプロセスまで渡されたＭＳＤＵのＭＳＤＵ＿ＳＮサブフィールドの値に１を加えたものに設定する。  
５）ＷｉｎＥｎｄB＝ＷｉｎＳｔａｒｔB＋ＷｉｎＳｉｚｅB−１に設定する。  
６）ＭＰＤＵ＿ＳＮ＝ＷｉｎＳｔａｒｔBおよびＭＳＤＵ＿ＳＮ＝ＷｉｎＳｔａｒｔBJである場合、２）
７）何もしない
【００６９】
[0083]特定のＪＭＤブロックＡｃｋ合意に関連する各受信されたＢｌｏｃｋＡｃｋＲｅｑフレームについて、受信再順序付けバッファ記録は、次の通りに制御され得、ここで、ＭＰＤＵ＿ＳＳＮおよびＭＳＤＵ＿ＳＳＮは、受信されたＢｌｏｃｋＡｃｋＲｅｑフレームの開始シーケンス番号サブフィールド値中にある：
ＷｉｎＳｔａｒｔB＜＝ＭＰＤＵ＿ＳＮ＜＝ＷｉｎＥｎｄBである一方、
１）ＭＰＤＵ＿ＳＮ（ｓｔａｒｔ＿ｏｆ＿ＭＳＤＵが真である）場合は２）、そうでない場合は７）
２）ＭＰＤＵ＿ＳＮ（ｓｔａｒｔ＿ｏｆ＿ＭＳＤＵが真である）からＭＰＤＵ（ｅｎｄ＿ｏｆ＿ＭＳＤＵ＝ｔｒｕｅ）までのＭＰＤＵ＿ＳＮの昇順のＭＳＤＵ＿ＳＮを有する全てのＭＰＤＵがバッファ中に記憶される場合は３）、そうでない場合は４）
３）次のＭＡＣプロセスまでＭＳＤＵを渡す。  
４）ＷｉｎＳｔａｒｔBを、（ＭＳＤＵ＿ＳＮの）最後のＭＰＤＵのＭＰＤＵ＿ＳＮサブフィールドの値に１を加えたものに設定する
５）ＷｉｎＳｔａｒｔBJを、ＷｉｎＳｔａｒｔBJ＋１に設定する
６）ＷｉｎＳｔａｒｔB＜＝ＷｉｎＥｎｄBの場合は１）
７）ＷｉｎＳｔａｒｔB＝ＭＰＤＵ＿ＳＳＮに設定し、ＷｉｎＳｔａｒｔＢＪ＝ＭＳＤＵ＿ＳＳＮに設定する
８）ＷｉｎＥｎｄB＝ＷｉｎＳｔａｒｔB＋ＷｉｎＳｉｚｅB−１に設定する
【００７０】
[0084]発信元は、確立されたブロックＡｃｋ合意とマッチするＴＩＤを有するＱｏＳデータフレームを、それらのシーケンス番号が現在の送信ウィンドウ内にあるならば、任意の順序で送信し得る。
【００７１】
[0085]ＪＭＤブロックＡｃｋ合意下では、発信元は、現在のＭＰＤＵ送信ウィンドウを超えてＭＰＤＵ＿ＳＮを有するＭＰＤＵを送信しないことがあり得（ＷｉｎＳｔａｒｔO＜ＭＰＤＵ＿ＳＮ＝＜ＷｉｎＳｔａｒｔO＋ＷｉｎＳｉｚｅO−１）、および現在のＭＳＤＵ送信ウィンドウを超えてＭＳＤＵ＿ＳＮを有するＭＰＤＵを送信するべきではない（ＷｉｎＳｔａｒｔOJ＝＜ＭＳＤＵ＿ＳＮ＝＜ＷｉｎＳｔａｒｔOJ＋ＷｉｎＳｉｚｅOJ−１）。
【００７２】
[0086]発信元は、ノーマルＡｃｋに等しいＡｃｋポリシーフィールドを有したＡ−ＭＰＤＵ内で以前に送信されたデータフレームが尽きたＭＳＤＵ寿命に起因して破棄されるとき、保護されたブロックＡｃｋ合意のためにロバストなＡＤＤＢＡ要求フレームを、または保護されたブロックＡｃｋ合意ではないブロックＡｃｋ合意のためにＢｌｏｃｋＡｃｋＲｅｑフレームを送り得る。このＢｌｏｃｋＡｃｋＲｅｑまたはロバストなＡＤＤＢＡ要求フレームの目的は、破棄されたデータフレームによって作成されるシーケンス番号空間中の穴を超えて受信側のＷｉｎＳｔａｒｔB値をシフトし、およびそれにより、次のＭＡＣプロセスまでバッファされたフレームを可能な限り最も早く渡すことを可能にするためである。
【００７３】
[0087]ＪＭＤブロックＡｃｋ合意下では、ＢｌｏｃｋＡｃｋＲｅｑまたはロバストなＡＤＤＢＡ要求フレームは、ＭＰＤＵがＭＳＤＵの開始である（例えば、ｓｔａｒｔ＿ｏｆ＿ＭＳＤＵ＝ｔｒｕｅ）というインジケーションを有するＭＰＤＵのＭＰＤＵ＿ＳＳＮおよびＭＳＤＵ＿ＳＳＮフィールドを備えるべきである。
【００７４】
[0088]図８は、本開示の態様にしたがった、ＪＭＤ下での複数のＭＳＤＵ送信および関連するＭＰＤＵ再送信の例を例示している。具体的には、図８は、ＪＭＤ下での複数のＭＳＤＵ送信および関連するＭＰＤＵ再送信の例を示している。
【００７５】
[0089]例示されている例では、（ＭＳＤＵ ＳＳＮ＝１の）第１のＭＳＤＵは、（ＭＰＤＵ＿ＳＳＮ １〜３の）３つのＭＰＤＵへと分割され、（ＭＳＤＵ ＳＳＮ＝２の）第２のＭＳＤＵは、（ＭＰＤＵ＿ＳＳＮ ４〜６の）３つのＭＰＤＵへと分割され、その一方で（ＭＳＤＵ ＳＳＮ＝１の）第３のＭＳＤＵは、（ＭＰＤＵ＿ＳＳＮ ７〜１０の）４つのＭＰＤＵへと分割される。ＭＳＤＵ１および２は、第１のＡ−ＭＰＤＵを介して送られる。例示されているように、各ケースにおいて、開始および終了ＭＰＤＵのインジケーションが提供され得る。
【００７６】
[0090]この例では、ＭＰＤＵ３は、受信側において成功裏に受信されず、およびこの結果は、受信側によって生成されたブロックＡｃｋ中でシグナリングされる。このインジケーションを受信した後に、（ＭＰＤＵが第１のＭＳＤＵに関連していることを知っている）発信元は、第３のＭＳＤＵのためのＭＰＤＵを有する後続のＡ−ＭＰＤＵ中でそのＭＰＤＵを再び送り得る。ＭＰＤＵがＭＰＤＵシーケンス番号とＭＳＤＵシーケンス番号との両方を備えることから、受信側は、ＭＰＤＵ３の再送信を備える第２のＡ−ＭＰＤＵの成功裏の受信に際してＭＳＤＵ１〜３を解放することができる。
【００７７】
[0091]図９は、同じシナリオを例示しているが、１つまたは複数のＭＰＤＵが成功裏に受信されなかったことを示すブロックＡｃｋを受信した後に、発信元によって異なるアクションが取られる。例示されているように、このケースでは、発信元は、（未配信のＭＰＤＵ３によって引き起こされた穴に起因して）ＭＳＤＵ１をスキップすると決める。示されているように、発信元は、ＭＳＤＵ２にマッチするようにＢｌｏｃｋＡｃｋＲｅｑ中のＭＳＤＵおよびＭＰＤＵについての開始シーケンス番号（ＳＳＮ）を設定することによって（ＭＳＤＵ ＳＳＮ＝２およびＭＰＤＵ ＳＳＮ＝４）、受信側にこの決定を通知し得る。それに応答して、受信側は、ＭＳＤＵ１をスキップするために、受信バッファを制御するために使用されるその内部変数を更新し得、およびしたがって、ＭＳＤＵ２を解放し得る。
【００７８】
[0092]ここに説明されるように、ＪＭＤについてここに提供されるメカニズムは、ＳＡＰにおけるデータ配信の所望される完全性がＭＳＤＵ ＳＮとＭＰＤＵ ＳＮとの両方を提供することによって維持されることを可能にし得る。
【００７９】
[0093]図１０は、図４に例示されている動作４００のような、ここに説明された技法についての動作を実行するように構成された様々なコンポーネント（例えば、ミーンズプラスファンクションコンポーネントに対応する）を含み得る通信デバイス１０００を例示している。通信デバイス１０００は、トランシーバ１０１２に結合された処理システム１０１４を含む。トランシーバ１０１２は、ここに説明された様々な信号のような、通信デバイス１０００のための信号を、アンテナ１０２０を介して送信および受信するように構成される。処理システム１０１４は、通信デバイス１０００によって受信されるおよび／または送信されるべき信号を処理することを含め、通信デバイス１０００のための処理機能を実行するように構成され得る。
【００８０】
[0094]処理システム１０１４は、バス１０２４を介してコンピュータ可読媒体／メモリ１０１０に結合されたプロセッサ１００８を含む。ある特定の態様では、コンピュータ可読媒体／メモリ１０１０は、プロセッサ１００８によって実行されると、プロセッサ１００８に、図４に例示されている動作、またはここに論述された様々な技法を実行するための他の動作を実行することを行わせる命令を記憶するように構成される。ある特定の態様では、処理システム１０１４はさらに、図４の４０２において例示されている動作を実行するためのＭＳＤＵ分割コンポーネント１００２を含む。処理システム１０１４はまた、図４の４０４において例示されている動作を実行するためのＭＰＤＵ処理コンポーネント１００４を含む。
【００８１】
[0095]ＭＳＤＵ分割コンポーネント１００２およびＭＰＤＵ処理コンポーネント１００４は、バス１０２４を介してプロセッサ１００８に結合され得る。ある特定の態様では、ＭＳＤＵ分割コンポーネント１００２およびＭＰＤＵ処理コンポーネント１００４は、ハードウェア回路であり得る。ある特定の態様では、ＭＳＤＵ分割コンポーネント１００２およびＭＰＤＵ処理コンポーネント１００４は、プロセッサ１００８上で実行および稼働されるソフトウェアコンポーネントであり得る。
【００８２】
[0096]図１１は、図５に例示されている動作５００のような、ここに説明された技法についての動作を実行するように構成された様々なコンポーネント（例えば、ミーンズプラスファンクションコンポーネントに対応する）を含み得る通信デバイス１１００を例示している。通信デバイス１１００は、トランシーバ１１１２に結合された処理システム１１１４を含む。トランシーバ１１１２は、ここに説明された様々な信号のような、通信デバイス１１００のための信号を、アンテナ１１２０を介して送信および受信するように構成される。処理システム１１１４は、通信デバイス１１００によって受信されるおよび／または送信されるべき信号を処理することを含め、通信デバイス１１００のための処理機能を実行するように構成され得る。
【００８３】
[0097]処理システム１１１４は、バス１１２４を介してコンピュータ可読媒体／メモリ１１１０に結合されたプロセッサ１１０８を含む。ある特定の態様では、コンピュータ可読媒体／メモリ１１１０は、プロセッサ１１０８によって実行されると、プロセッサ１１０８に、図５に例示されている動作、またはここに論述された様々な技法を実行するための他の動作を実行することを行わせる命令を記憶するように構成される。ある特定の態様では、処理システム１１１４はさらに、図５の５０２において例示されている動作を実行するためのＭＰＤＵ取得コンポーネント１１０２を含む。処理システム１１１４はまた、図５の５０４において例示されている動作を実行するためのバッファ維持コンポーネント１１０４を含む。
【００８４】
[0098]ＭＰＤＵ取得コンポーネント１１０２およびバッファ維持コンポーネント１１０４は、バス１１２４を介してプロセッサ１１０８に結合され得る。ある特定の態様では、ＭＰＤＵ取得コンポーネント１１０２およびバッファ維持コンポーネント１１０４は、ハードウェア回路であり得る。ある特定の態様では、ＭＰＤＵ取得コンポーネント１１０２およびバッファ維持コンポーネント１１０４は、プロセッサ１１０８上で実行および稼働されるソフトウェアコンポーネントであり得る。
【００８５】
[0099]ここに説明された方法は、ワイヤレス通信の説明された方法または動作を達成するための１つまたは複数のステップあるいはアクションを備える。ステップおよび／またはアクションは、特許請求の範囲から逸脱することなしに、互いと置き換えられ得るか、あるいは取り除かれ得るかまたはスキップされ得る。ステップまたはアクションの特定の順序が指定されない限り、特定のステップおよび／またはアクションの順序および／または使用は、特許請求の範囲から逸脱することなしに修正され得る。
【００８６】
[0100]ここに使用される場合、項目のリスト「のうちの少なくとも１つ」を指すフレーズは、単一のメンバを含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素を有する任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）をカバーすることを意図される。特許請求の範囲を含め、ここに使用される場合、「および／または（and/or）」という用語は、２つ以上の項目のリスト中で使用されるとき、リストされた項目のうちのいずれか１つが単独で用いられることができるか、またはリストされた項目のうちの２つ以上の任意の組み合わせが用いられることができることを意味する。例えば、ある構成が、コンポーネントＡ、Ｂ、および／またはＣを備えると説明される場合、その構成は、Ａだけ、Ｂだけ、Ｃだけ、ＡとＢの組み合わせ、ＡとＣの組み合わせ、ＢとＣの組み合わせ、またはＡとＢとＣの組み合わせを備えることができる。
【００８７】
[0101]ここに使用される場合、「決定すること」という用語は、幅広い多様なアクションを包含する。例えば、「決定すること」は、算出すること、計算すること、処理すること、導出すること、調査すること、ルックアップすること（例えば、表、データベースまたは別のデータ構造中をルックアップすること）、確定すること、および同様のものを含み得る。また、「決定すること」は、受信すること（例えば、情報を受信すること）、アクセスすること（例えば、メモリ中のデータにアクセスすること）、および同様のものを含み得る。また、「決定すること」は、解決すること、選択すること、選ぶこと、確立すること、および同様のものを含み得る。
【００８８】
[0102]いくつかのケースでは、フレームを実際に送信するというよりはむしろ、デバイスは、送信のためにフレームを出力するためのインターフェースを有し得る。例えば、プロセッサは、送信のためにＲＦフロントエンドに、バスインターフェースを介してフレームを出力し得る。同様に、フレームを実際に受信するというよりはむしろ、デバイスは、別のデバイスから受信されるフレームを取得するためのインターフェースを有し得る。例えば、プロセッサは、送信のためにＲＦフロントエンドから、バスインターフェースを介してフレームを取得（または受信）し得る。
【００８９】
[0103]上述された方法の様々な動作は、対応する機能を実行することが可能である任意の適した手段によって実行され得る。手段は、回路、特定用途向け集積回路（ＡＳＩＣ）、またはプロセッサを含むがそれらに限定されない、様々なハードウェアおよび／またはソフトウェアコンポーネント（１つ以上）および／またはモジュール（１つ以上）を含み得る。概して、図に例示される動作が存在する場合、それらの動作は、同様の番号付けを有する対応する対照のミーンズプラスファンクションコンポーネントを有し得る。例えば、図４および５に例示されている動作４００および５００は、図４Ａおよび５Ａに例示されている手段４００Ａおよび５００Ａに対応する。
【００９０】
[0104]例えば、受信するための手段（または取得するための手段）は、図２に例示されているユーザ端末１２０の受信機（例えば、トランシーバ２５４の受信機ユニット）および／またはアンテナ（１つ以上）２５２、または図２に例示されているアクセスポイント１１０の受信機（例えば、トランシーバ２２２の受信機ユニット）および／またはアンテナ（１つ以上）２２４であり得る。送信するための手段（または送信のために出力するための手段）は、図２に例示されているユーザ端末１２０の送信機（例えば、トランシーバ２５４の送信機ユニット）および／またはアンテナ（１つ以上）２５２、または図２に例示されているアクセスポイント１１０の送信機（例えば、トランシーバ２２２の送信機ユニット）および／またはアンテナ（１つ以上）２２４であり得る。
【００９１】
[0105]分割するための手段、生成するための手段、出力するための手段、解放するための手段、破棄するための手段、維持するための手段、検出するための手段、決定するための手段、および／または初期化するための手段のうちの任意のものまたは全ては、処理システムを備え得、それは、図２に例示されているユーザ端末１２０のＲＸデータプロセッサ２７０、ＴＸデータプロセッサ２８８、および／またはコントローラ２８０、あるいは図２に例示されているアクセスポイント１１０のＴＸデータプロセッサ２１０、ＲＸデータプロセッサ２４２、および／またはコントローラ２３０のような、１つまたは複数のプロセッサを含み得る。
【００９２】
[0106]ある特定の態様によると、そのような手段は、ここに説明された様々なアルゴリズムを（例えば、ハードウェアにおいて、またはソフトウェア命令を実行することによって）インプリメントすることによって対応する機能を実行するように構成された処理システムによってインプリメントされ得る。
【００９３】
[0107]本開示に関連して説明された様々な例示的な論理ブロック、モジュールおよび回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス（ＰＬＤ）、ディスクリートゲートまたはトランジスタロジック、ディスクリートハードウェアコンポーネント、あるいはここに説明された機能を実行するように設計されたそれらの任意の組み合わせを用いてインプリメントまたは実行され得る。汎用プロセッサは、マイクロプロセッサであり得るが、代替では、プロセッサは、任意の市販のプロセッサ、コントローラ、マイクロコントローラ、またはステートマシンであり得る。プロセッサはまた、コンピューティングデバイスの組み合わせ、例えば、ＤＳＰとマイクロプロセッサとの組み合わせ、複数のマイクロプロセッサ、ＤＳＰコアと連携した１つまたは複数のマイクロプロセッサ、あるいは任意の他のそのような構成としてインプリメントされ得る。
【００９４】
[0108]ハードウェアにおいてインプリメントされる場合、実例的なハードウェア構成は、ワイヤレスノード中の処理システムを備え得る。処理システムは、バスアーキテクチャを用いてインプリメントされ得る。バスは、処理システムの特定のアプリケーションおよび全体的な設計制約に依存して、任意の数の相互接続バスおよびブリッジを含み得る。バスは、プロセッサ、機械可読媒体、およびバスインターフェースを含む様々な回路をともにリンクさせ得る。バスインターフェースは、中でもとりわけ、バスを介して処理システムにネットワークアダプタを接続するために使用され得る。ネットワークアダプタは、ＰＨＹレイヤの信号処理機能をインプリメントするために使用され得る。ユーザ端末１２０（図１を参照）のケースでは、ユーザインターフェース（例えば、キーパッド、ディスプレイ、マウス、ジョイスティック、等）もまた、バスに接続され得る。バスはまた、タイミングソース、周辺機器、電圧レギュレータ、電力管理回路、および同様なもののような様々な他の回路をリンクさせ得るが、それらは、当該技術において良く知られており、およびしたがって、これ以上は説明されない。プロセッサは、１つまたは複数の汎用および／または専用プロセッサを用いてインプリメントされ得る。例は、マイクロプロセッサ、マイクロコントローラ、ＤＳＰプロセッサ、およびソフトウェアを実行することができる他の回路を含む。当業者は、特定のアプリケーションおよびシステム全体に課せられた全体的な設計制約に依存して、処理システムについての説明された機能をどのようにインプリメントするのが最良であるかを認識するであろう。
【００９５】
[0109]ソフトウェアにおいてインプリメントされる場合、それら機能は、１つまたは複数の命令またはコードとして、コンピュータ可読媒体上に記憶され得るか、またはコンピュータ可読媒体を通して送信され得る。ソフトウェアは、ソフトウェア、ファームウェア、ミドルウェア、マイクロコード、ハードウェア記述言語、またはその他の名称で呼ばれるかにかかわらず、命令、データ、またはそれらの任意の組み合わせを意味するように広く解釈されるべきである。コンピュータ可読媒体は、ある場所から別の場所へのコンピュータプログラムの転送を容易にする任意の媒体を含む通信媒体とコンピュータ記憶媒体との両方を含む。プロセッサは、バスの管理と、機械可読記憶媒体上に記憶されたソフトウェアモジュールの実行を含む汎用処理とを担い得る。コンピュータ可読記憶媒体は、プロセッサが記憶媒体から情報を読み取り、および記憶媒体に情報を書き込むことができるように、プロセッサに結合され得る。代替では、記憶媒体は、プロセッサと一体化され得る。例として、機械可読媒体は、伝送線路、データによって変調された搬送波、および／またはワイヤレスノードとは別個の、その上に命令を記憶したコンピュータ可読記憶媒体を含み得、それらの全ては、バスインターフェースを通じてプロセッサによってアクセスされ得る。代替として、または加えて、機械可読媒体、またはその任意の一部分は、キャッシュおよび／または汎用レジスタファイルでのケースでそうであり得るように、プロセッサへと統合され得る。機械可読記憶媒体の例は、例として、ＲＡＭ（ランダムアクセスメモリ）、フラッシュメモリ、ＲＯＭ（読取専用メモリ）、ＰＲＯＭ（プログラマブル読取専用メモリ）、ＥＰＲＯＭ（消去可能プログラマブル読取専用メモリ）、ＥＥＰＲＯＭ（登録商標）（電気的消去可能プログラマブル読取専用メモリ）、レジスタ、磁気ディスク、光ディスク、ハードドライブ、または任意の他の適した記憶媒体、あるいはそれらの任意の組み合わせを含み得る。機械可読媒体は、コンピュータプログラム製品中で具現化され得る。
【００９６】
[0110]ソフトウェアモジュールは、単一の命令、または多くの命令を備え得、およびいくつかの異なるコードセグメントにわたって、異なるプログラム間において、および複数の記憶媒体にわたって、分散され得る。コンピュータ可読媒体は、いくつかのソフトウェアモジュールを備え得る。ソフトウェアモジュールは、プロセッサのような装置によって実行されると、処理システムに様々な機能を実行することを行わせる命令を含む。ソフトウェアモジュールは、送信モジュールおよび受信モジュールを含み得る。各ソフトウェアモジュールは、単一の記憶デバイス中に存在し得るか、または複数の記憶デバイスにわたって分散され得る。例として、ソフトウェアモジュールは、トリガリングイベントが生じたときに、ハードドライブからＲＡＭへとロードされ得る。ソフトウェアモジュールの実行中、プロセッサは、アクセス速度を増大させるために、命令のうちのいくつかをキャッシュへとロードし得る。１つまたは複数のキャッシュラインがその後、プロセッサによる実行のために汎用レジスタファイルへとロードされ得る。以下でソフトウェアモジュールの機能に言及するとき、そのような機能は、そのソフトウェアモジュールからの命令を実行するときに、プロセッサによってインプリメントされることが理解されるであろう。
【００９７】
[0111]また、いずれの接続も、厳密にはコンピュータ可読媒体と称される。例えば、ソフトウェアが、同軸ケーブル、光ファイバケーブル、ツイストペア、デジタル加入者回線（ＤＳＬ）、または赤外線（ＩＲ）、無線、およびマイクロ波のようなワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波のようなワイヤレス技術は、媒体の定義中に含まれる。ディスク（disk）およびディスク（disc）は、ここに使用される場合、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。このことから、いくつかの態様では、コンピュータ可読媒体は、非一時的コンピュータ可読媒体（例えば、有形媒体）を備え得る。加えて、他の態様では、コンピュータ可読媒体は、一時的コンピュータ可読媒体（例えば、信号）を備え得る。上記の組み合わせもまた、コンピュータ可読媒体の範囲内に含まれるべきである。
【００９８】
[0112]このことから、ある特定の態様は、ここに提示された動作を実行するためのコンピュータプログラム製品を備え得る。例えば、そのようなコンピュータプログラム製品は、その上に命令を記憶（および／または符号化）したコンピュータ可読媒体を備え得、それら命令は、ここに説明された動作を実行するために、１つまたは複数のプロセッサによって実行可能である。さらに、ここに説明された方法および技法を実行するためのモジュールおよび／または他の適切な手段は、適宜、ユーザ端末および／または基地局によってダウンロードおよび／またはそうでない場合は取得されることができることが認識されるべきである。例えば、そのようなデバイスは、ここに説明された方法を実行するための手段の転送を容易にするためにサーバに結合されることができる。代替として、ここに説明された様々な方法は、記憶手段（例えば、ＲＡＭ、ＲＯＭ、コンパクトディスク（ＣＤ）またはフロッピーディスクのような物理記憶媒体、等）を介して提供されることができ、それにより、ユーザ端末および／または基地局は、デバイスに記憶手段を結合または提供する際に様々な方法を取得することができる。その上、ここに説明された方法および技法をデバイスに提供するための任意の他の適した技法が利用されることができる。
【００９９】
[0113]特許請求の範囲は、上記に例示されたまさにその構成およびコンポーネントに限定されないことが理解されるべきである。様々な修正、変更、および変形が、特許請求の範囲から逸脱することなしに、上述された方法および装置の配置、動作および詳細においてなされ得る。
以下に本願の出願当初の特許請求の範囲に記載された発明を付記する。
［Ｃ１］
ワイヤレス通信のための装置であって、
第１の媒体アクセス制御（ＭＡＣ）サービスデータユニット（ＭＳＤＵ）を、一意のＭＡＣプロトコルデータユニット（ＭＰＤＵ）シーケンス番号と、前記第１のＭＳＤＵに関連付けられた別個のＭＳＤＵシーケンス番号とを各々が有する、第１の複数のＭＰＤＵへと分割するように構成された少なくとも１つの処理システムと、
受信側への送信のために前記第１の複数のＭＰＤＵを出力するように構成された第１のインターフェースと
を備える、装置。
［Ｃ２］
各ＭＰＤＵは、
前記一意のＭＰＤＵシーケンス番号のインジケーションと、
前記第１のＭＳＤＵに関連付けられた前記ＭＳＤＵシーケンス番号のインジケーションと、
前記ＭＰＤＵが前記第１のＭＳＤＵの開始ＭＰＤＵであるかまたは終了ＭＰＤＵであるかのインジケーションと
を備える制御フィールドを有する、Ｃ１に記載の装置。
［Ｃ３］
前記少なくとも１つの処理システムは、少なくとも前記第１のＭＳＤＵを処理するためのパラメータのセットを有する少なくとも１つのフレームを生成するようにさらに構成され、前記パラメータのセットは、前記第１の複数のＭＰＤＵが送信のために出力される送信ウィンドウについての少なくともＭＰＤＵ開始シーケンス番号（ＳＳＮ）およびＭＳＤＵ ＳＳＮに関連付けられ、
前記第１のインターフェースは、前記受信側への送信のために前記少なくとも１つのフレームを出力するようにさらに構成される、
Ｃ１に記載の装置。
［Ｃ４］
前記パラメータのセットはまた、
いくつのビットがＭＰＤＵシーケンス番号のために使用されるかのインジケーションと、
いくつのビットがＭＳＤＵシーケンス番号のために使用されるかのインジケーションと
を備える、Ｃ３に記載の装置。
［Ｃ５］
前記第１の複数のＭＰＤＵは、アグリゲートされたＭＰＤＵ（Ａ−ＭＰＤＵ）を介した送信のために出力される、Ｃ１に記載の装置。
［Ｃ６］
前記少なくとも１つの処理システムは、少なくとも第２の媒体アクセス制御（ＭＡＣ）サービスデータユニット（ＭＳＤＵ）を、一意のＭＡＣプロトコルデータユニット（ＭＰＤＵ）シーケンス番号と、前記第２のＭＳＤＵに関連付けられた別個のＭＳＤＵシーケンス番号とを各々が有する、第２の複数のＭＰＤＵへと分割するようにさらに構成され、
前記第１のインターフェースは、前記Ａ−ＭＰＤＵを介した送信のために前記第２の複数のＭＰＤＵを出力するようにさらに構成される、
Ｃ５に記載の装置。
［Ｃ７］
前記受信側から１つまたは複数のブロック確認応答フレームを取得するように構成された第２のインターフェースをさらに備え、前記１つまたは複数のブロック確認応答フレームは、前記第１の複数のＭＰＤＵのうちのどれが前記受信側によって成功裏に受信されたかを示し、
前記少なくとも１つの処理システムは、前記第１の複数のＭＰＤＵの各々が前記受信側によって成功裏に受信されたことを前記１つまたは複数のブロック確認応答フレームが示す場合に、送信バッファから前記第１のＭＳＤＵを解放するようにさらに構成される、Ｃ１に記載の装置。
［Ｃ８］
前記受信側から１つまたは複数のブロック確認応答フレームを取得するように構成された第２のインターフェースをさらに備え、前記１つまたは複数のブロック確認応答フレームは、前記第１の複数のＭＰＤＵのうちのどれが前記受信側によって成功裏に受信されたかを示し、
前記少なくとも１つの処理システムは、前記受信側によって成功裏に受信されなかったことを前記１つまたは複数のブロック確認応答フレームが示す前記第１の複数のＭＰＤＵのうちの少なくとも１つを含むフレームを生成するようにさらに構成され、
前記第１のインターフェースは、送信のために前記フレームを出力するようにさらに構成される、Ｃ１に記載の装置。
［Ｃ９］
前記受信側から１つまたは複数のブロック確認応答フレームを取得するように構成された第２のインターフェースをさらに備え、前記１つまたは複数のブロック確認応答フレームは、前記第１の複数のＭＰＤＵのうちのどれが前記受信側によって成功裏に受信されたかを示し、
前記少なくとも１つの処理システムは、第２のＭＳＤＵを、一意のＭＰＤＵシーケンス番号と、前記第２のＭＳＤＵに関連付けられた別個のＭＳＤＵシーケンス番号とを各々が有する、第２の複数のＭＰＤＵへと分割するようにさらに構成され、
前記１つまたは複数のブロック確認応答フレームは、前記第２の複数のＭＰＤＵも含むアグリゲートされたＭＰＤＵ（Ａ−ＭＰＤＵ）を備える、Ｃ１に記載の装置。
［Ｃ１０］
前記受信側から１つまたは複数のブロック確認応答フレームを取得するように構成された第２のインターフェースをさらに備え、前記１つまたは複数のブロック確認応答フレームは、前記第１の複数のＭＰＤＵのうちのどれが前記受信側によって成功裏に受信されたかを示し、
前記少なくとも１つの処理システムは、
前記受信側によって成功裏に受信されなかったものとして前記１つまたは複数のブロック確認応答フレームによって示された少なくとも１つのＭＰＤＵに対応する少なくとも１つのＭＳＤＵを破棄することと、
前記受信側に前記破棄されたＭＰＤＵを処理することをスキップさせるために選択されるＭＰＤＵ開始シーケンス番号（ＳＳＮ）およびＭＳＤＵ ＳＳＮについての値を有する少なくとも１つのフレームを生成することと
を行うようにさらに構成され、前記第１のインターフェースは、前記受信側への送信のために前記少なくとも１つのフレームを出力するようにさらに構成される、
Ｃ１に記載の装置。
［Ｃ１１］
前記少なくとも１つのフレームは、ブロック確認応答要求フレームを備える、Ｃ１０に記載の装置。
［Ｃ１２］
ワイヤレス通信のための装置であって、
一意の媒体アクセス制御（ＭＡＣ）プロトコルデータユニット（ＭＰＤＵ）シーケンス番号と、別個のＭＡＣサービスデータユニット（ＭＳＤＵ）シーケンス番号とを各々が有する、第１の複数のＭＰＤＵを取得するように構成された第１のインターフェースと、
前記第１の複数のＭＰＤＵの前記ＭＰＤＵおよびＭＳＤＵシーケンス番号に基づいて受信バッファを維持するように構成された少なくとも１つの処理システムと
を備える、装置。
［Ｃ１３］
各ＭＰＤＵは、
前記一意のＭＰＤＵシーケンス番号の第１のインジケーションと、
前記ＭＳＤＵシーケンス番号の第２のインジケーションと、
前記ＭＰＤＵがＭＳＤＵの開始ＭＰＤＵであるかまたは終了ＭＰＤＵであるかの第３のインジケーションと
を備える制御フィールドを有し、前記少なくとも１つの処理システムは、
前記第３のインジケーションに基づいて、ＭＰＤＵが第１のＭＳＤＵの終了ＭＰＤＵであることを検出することと、
前記第１のＭＳＤＵに関連付けられた全てのＭＰＤＵが成功裏に受信されているかどうかを、前記検出後に決定することと、
前記決定が、前記第１のＭＳＤＵに関連付けられた全てのＭＰＤＵが成功裏に受信されているというものである場合に、前記受信バッファから前記第１のＭＳＤＵを解放することと
を行うことによって前記受信バッファを維持するように構成される、
Ｃ１２に記載の装置。
［Ｃ１４］
前記少なくとも１つの処理システムは、前記受信バッファが前記第１のＭＳＤＵのＭＳＤＵシーケンス番号より低いＭＳＤＵシーケンス番号の第２のインジケーションを有する制御フィールドを有するいかなるＭＰＤＵも含まない場合にのみ、前記第１のＭＳＤＵを解放するように構成される、Ｃ１３に記載の装置。
［Ｃ１５］
前記第１のインターフェースは、少なくともＭＰＤＵ開始シーケンス番号（ＳＳＮ）およびＭＳＤＵ ＳＳＮに関連付けられたパラメータのセットを有する少なくとも１つのフレームを取得するようにさらに構成され、
前記少なくとも１つの処理システムは、前記ＭＳＤＵ ＳＳＮに基づいて次の予期されるシーケンス番号についての変数を初期化することと、前記ＭＰＤＵ ＳＳＮに基づいて開始ＭＰＤＵシーケンス番号についての変数を初期化することとを行うように構成される、
Ｃ１２に記載の装置。
［Ｃ１６］
前記パラメータのセットはまた、いくつのビットが前記ＭＰＤＵ ＳＳＮのために使用されるか、およびいくつのビットが前記ＭＳＤＵ ＳＳＮのために使用されるかを示し、
前記少なくとも１つの処理システムは、前記示されたビット数に基づいて前記ＭＰＤＵ ＳＳＮおよび前記ＭＳＤＵ ＳＳＮを決定するように構成される、
Ｃ１５に記載の装置。
［Ｃ１７］
前記第１のインターフェースは、ＭＰＤＵ開始シーケンス番号（ＳＳＮ）およびＭＳＤＵ ＳＳＮを示す少なくとも１つのフレームを取得するようにさらに構成され、
前記少なくとも１つの処理システムは、前記示されたＭＳＤＵ ＳＳＮより低いＭＳＤＵシーケンス番号または前記示されたＭＰＤＵ ＳＳＮより低いＭＰＤＵシーケンス番号のうちの少なくとも１つを有するＭＰＤＵを、前記受信バッファから破棄するように構成される、
Ｃ１２に記載の装置。
［Ｃ１８］
前記少なくとも１つのフレームは、ブロック確認応答要求フレームを備える、Ｃ１７に記載の装置。
［Ｃ１９］
ワイヤレス通信のための方法であって、
第１の媒体アクセス制御（ＭＡＣ）サービスデータユニット（ＭＳＤＵ）を、一意のＭＡＣプロトコルデータユニット（ＭＰＤＵ）シーケンス番号と、前記第１のＭＳＤＵに関連付けられた別個のＭＳＤＵシーケンス番号とを各々が有する、第１の複数のＭＰＤＵへと分割することと、
受信側への送信のために前記第１の複数のＭＰＤＵを出力することと
を備える、方法。
［Ｃ２０］
各ＭＰＤＵは、
前記一意のＭＰＤＵシーケンス番号のインジケーションと、
前記第１のＭＳＤＵに関連付けられた前記ＭＳＤＵシーケンス番号のインジケーションと、
前記ＭＰＤＵが前記第１のＭＳＤＵの開始ＭＰＤＵであるかまたは終了ＭＰＤＵであるかのインジケーションと
を備える制御フィールドを有する、Ｃ１９に記載の方法。
［Ｃ２１］
少なくとも前記第１のＭＳＤＵを処理するためのパラメータのセットを有する少なくとも１つのフレームを生成することと、前記パラメータのセットは、前記第１の複数のＭＰＤＵが送信のために出力される送信ウィンドウについての少なくともＭＰＤＵ開始シーケンス番号（ＳＳＮ）およびＭＳＤＵ ＳＳＮに関連付けられる、
前記受信側への送信のために前記少なくとも１つのフレームを出力することと
をさらに備える、Ｃ１９に記載の方法。
［Ｃ２２］
前記パラメータのセットはまた、
いくつのビットがＭＰＤＵシーケンス番号のために使用されるかのインジケーションと、
いくつのビットがＭＳＤＵシーケンス番号のために使用されるかのインジケーションと
を備える、Ｃ２１に記載の方法。
［Ｃ２３］
前記第１の複数のＭＰＤＵは、アグリゲートされたＭＰＤＵ（Ａ−ＭＰＤＵ）を介した送信のために出力される、Ｃ１９に記載の方法。
［Ｃ２４］
少なくとも第２の媒体アクセス制御（ＭＡＣ）サービスデータユニット（ＭＳＤＵ）を、一意のＭＡＣプロトコルデータユニット（ＭＰＤＵ）シーケンス番号と、前記第２のＭＳＤＵに関連付けられた別個のＭＳＤＵシーケンス番号とを各々が有する、第２の複数のＭＰＤＵへと分割することと、
前記Ａ−ＭＰＤＵを介した送信のために前記第２の複数のＭＰＤＵを出力することと
をさらに備える、Ｃ２３に記載の方法。
［Ｃ２５］
前記受信側から１つまたは複数のブロック確認応答フレームを取得することと、前記１つまたは複数のブロック確認応答フレームは、前記第１の複数のＭＰＤＵのうちのどれが前記受信側によって成功裏に受信されたかを示す、
前記第１の複数のＭＰＤＵの各々が前記受信側によって成功裏に受信されたことを前記１つまたは複数のブロック確認応答フレームが示す場合に、送信バッファから前記第１のＭＳＤＵを解放することと
をさらに備える、Ｃ１９に記載の方法。
［Ｃ２６］
前記受信側から１つまたは複数のブロック確認応答フレームを取得することと、前記１つまたは複数のブロック確認応答フレームは、前記第１の複数のＭＰＤＵのうちのどれが前記受信側によって成功裏に受信されたかを示す、
前記受信側によって成功裏に受信されなかったことを前記１つまたは複数のブロック確認応答フレームが示す前記第１の複数のＭＰＤＵのうちの少なくとも１つを含むフレームを生成することと、
送信のために前記フレームを出力することと
をさらに備える、Ｃ１９に記載の方法。
［Ｃ２７］
前記受信側から１つまたは複数のブロック確認応答フレームを取得することと、前記１つまたは複数のブロック確認応答フレームは、前記第１の複数のＭＰＤＵのうちのどれが前記受信側によって成功裏に受信されたかを示す、
第２のＭＳＤＵを、一意のＭＰＤＵシーケンス番号と、前記第２のＭＳＤＵに関連付けられた別個のＭＳＤＵシーケンス番号とを各々が有する、第２の複数のＭＰＤＵへと分割することと
をさらに備え、前記１つまたは複数のブロック確認応答フレームは、前記第２の複数のＭＰＤＵも含むアグリゲートされたＭＰＤＵ（Ａ−ＭＰＤＵ）を備える、
Ｃ１９に記載の方法。
［Ｃ２８］
前記受信側から１つまたは複数のブロック確認応答フレームを取得することと、前記１つまたは複数のブロック確認応答フレームは、前記第１の複数のＭＰＤＵのうちのどれが前記受信側によって成功裏に受信されたかを示す、
前記受信側によって成功裏に受信されなかったものとして前記１つまたは複数のブロック確認応答フレームによって示された少なくとも１つのＭＰＤＵに対応する少なくとも１つのＭＳＤＵを破棄することと、
前記受信側に前記破棄されたＭＰＤＵを処理することをスキップさせるために選択されるＭＰＤＵ開始シーケンス番号（ＳＳＮ）およびＭＳＤＵ ＳＳＮについての値を有する少なくとも１つのフレームを生成することと、
前記受信側への送信のために前記少なくとも１つのフレームを出力することと
をさらに備える、Ｃ１９に記載の方法。
［Ｃ２９］
前記少なくとも１つのフレームは、ブロック確認応答要求フレームを備える、Ｃ２８に記載の方法。
［Ｃ３０］
ワイヤレス通信のための方法であって、
一意の媒体アクセス制御（ＭＡＣ）プロトコルデータユニット（ＭＰＤＵ）シーケンス番号と、別個のＭＡＣサービスデータユニット（ＭＳＤＵ）シーケンス番号とを各々が有する、第１の複数のＭＰＤＵを取得することと、
前記第１の複数のＭＰＤＵの前記ＭＰＤＵおよびＭＳＤＵシーケンス番号に基づいて受信バッファを維持することと
を備える、方法。
［Ｃ３１］
各ＭＰＤＵは、
前記一意のＭＰＤＵシーケンス番号の第１のインジケーションと、
前記ＭＳＤＵシーケンス番号の第２のインジケーションと、
前記ＭＰＤＵがＭＳＤＵの開始ＭＰＤＵであるかまたは終了ＭＰＤＵであるかの第３のインジケーションと
を備える制御フィールドを有し、前記維持することは、
前記第３のインジケーションに基づいて、ＭＰＤＵが第１のＭＳＤＵの終了ＭＰＤＵであることを検出することと、
前記第１のＭＳＤＵに関連付けられた全てのＭＰＤＵが成功裏に受信されているかどうかを、前記検出後に決定することと、
前記決定が、前記第１のＭＳＤＵに関連付けられた全てのＭＰＤＵが成功裏に受信されているというものである場合に、前記受信バッファから前記第１のＭＳＤＵを解放することと
を備える、
Ｃ３０に記載の方法。
［Ｃ３２］
前記第１のＭＳＤＵは、前記受信バッファが前記第１のＭＳＤＵのＭＳＤＵシーケンス番号より低いＭＳＤＵシーケンス番号の第２のインジケーションを有する制御フィールドを有するいかなるＭＰＤＵも含まない場合にのみ解放される、Ｃ３１に記載の方法。
［Ｃ３３］
少なくともＭＰＤＵ開始シーケンス番号（ＳＳＮ）およびＭＳＤＵ ＳＳＮに関連付けられたパラメータのセットを有する少なくとも１つのフレームを取得することと、
前記ＭＳＤＵ ＳＳＮに基づいて次の予期されるシーケンス番号についての変数を初期化することと、前記ＭＰＤＵ ＳＳＮに基づいて開始ＭＰＤＵシーケンス番号についての変数を初期化することと
をさらに備える、Ｃ３０に記載の方法。
［Ｃ３４］
前記パラメータのセットはまた、いくつのビットが前記ＭＰＤＵ ＳＳＮのために使用されるか、およびいくつのビットが前記ＭＳＤＵ ＳＳＮのために使用されるかを示し、
前記方法は、前記示されたビット数に基づいて前記ＭＰＤＵ ＳＳＮおよび前記ＭＳＤＵ ＳＳＮを決定することを備える、
Ｃ３３に記載の方法。
［Ｃ３５］
ＭＰＤＵ開始シーケンス番号（ＳＳＮ）およびＭＳＤＵ ＳＳＮを示す少なくとも１つのフレームを取得することと、
前記示されたＭＳＤＵ ＳＳＮより低いＭＳＤＵシーケンス番号または前記示されたＭＰＤＵ ＳＳＮより低いＭＰＤＵシーケンス番号のうちの少なくとも１つを有するＭＰＤＵを、前記受信バッファから破棄することと
をさらに備える、Ｃ３０に記載の方法。
［Ｃ３６］
前記少なくとも１つのフレームは、ブロック確認応答要求フレームを備える、Ｃ３５に記載の方法。
［Ｃ３７］
ワイヤレス通信のための装置であって、
第１の媒体アクセス制御（ＭＡＣ）サービスデータユニット（ＭＳＤＵ）を、一意のＭＡＣプロトコルデータユニット（ＭＰＤＵ）シーケンス番号と、前記第１のＭＳＤＵに関連付けられた別個のＭＳＤＵシーケンス番号とを各々が有する、第１の複数のＭＰＤＵへと分割するための手段と、
受信側への送信のために前記第１の複数のＭＰＤＵを出力するための手段と
を備える、装置。
［Ｃ３８］
各ＭＰＤＵは、
前記一意のＭＰＤＵシーケンス番号のインジケーションと、
前記第１のＭＳＤＵに関連付けられた前記ＭＳＤＵシーケンス番号のインジケーションと、
前記ＭＰＤＵが前記第１のＭＳＤＵの開始ＭＰＤＵであるかまたは終了ＭＰＤＵであるかのインジケーションと
を備える制御フィールドを有する、Ｃ３７に記載の装置。
［Ｃ３９］
少なくとも前記第１のＭＳＤＵを処理するためのパラメータのセットを有する少なくとも１つのフレームを生成するための手段と、前記パラメータのセットは、前記第１の複数のＭＰＤＵが送信のために出力される送信ウィンドウについての少なくともＭＰＤＵ開始シーケンス番号（ＳＳＮ）およびＭＳＤＵ ＳＳＮに関連付けられる、
前記受信側への送信のために前記少なくとも１つのフレームを出力するための手段と
をさらに備える、Ｃ３７に記載の装置。
［Ｃ４０］
前記パラメータのセットはまた、
いくつのビットがＭＰＤＵシーケンス番号のために使用されるかのインジケーションと、
いくつのビットがＭＳＤＵシーケンス番号のために使用されるかのインジケーションと
を備える、Ｃ３９に記載の装置。
［Ｃ４１］
前記第１の複数のＭＰＤＵは、アグリゲートされたＭＰＤＵ（Ａ−ＭＰＤＵ）を介した送信のために出力される、Ｃ３７に記載の装置。
［Ｃ４２］
少なくとも第２の媒体アクセス制御（ＭＡＣ）サービスデータユニット（ＭＳＤＵ）を、一意のＭＡＣプロトコルデータユニット（ＭＰＤＵ）シーケンス番号と、前記第２のＭＳＤＵに関連付けられた別個のＭＳＤＵシーケンス番号とを各々が有する、第２の複数のＭＰＤＵへと分割するための手段と、
前記Ａ−ＭＰＤＵを介した送信のために前記第２の複数のＭＰＤＵを出力するための手段と
をさらに備える、Ｃ４１に記載の装置。
［Ｃ４３］
前記受信側から１つまたは複数のブロック確認応答フレームを取得するための手段と、前記１つまたは複数のブロック確認応答フレームは、前記第１の複数のＭＰＤＵのうちのどれが前記受信側によって成功裏に受信されたかを示す、
前記第１の複数のＭＰＤＵの各々が前記受信側によって成功裏に受信されたことを前記１つまたは複数のブロック確認応答フレームが示す場合に、送信バッファから前記第１のＭＳＤＵを解放するための手段と
をさらに備える、Ｃ３７に記載の装置。
［Ｃ４４］
前記受信側から１つまたは複数のブロック確認応答フレームを取得するための手段と、前記１つまたは複数のブロック確認応答フレームは、前記第１の複数のＭＰＤＵのうちのどれが前記受信側によって成功裏に受信されたかを示す、
前記受信側によって成功裏に受信されなかったことを前記１つまたは複数のブロック確認応答フレームが示す前記第１の複数のＭＰＤＵのうちの少なくとも１つを含むフレームを生成するための手段と、
送信のために前記フレームを出力するための手段と
をさらに備える、Ｃ３７に記載の装置。
［Ｃ４５］
前記受信側から１つまたは複数のブロック確認応答フレームを取得するための手段と、前記１つまたは複数のブロック確認応答フレームは、前記第１の複数のＭＰＤＵのうちのどれが前記受信側によって成功裏に受信されたかを示す、
第２のＭＳＤＵを、一意のＭＰＤＵシーケンス番号と、前記第２のＭＳＤＵに関連付けられた別個のＭＳＤＵシーケンス番号とを各々が有する、第２の複数のＭＰＤＵへと分割するための手段と
をさらに備え、前記１つまたは複数のブロック確認応答フレームは、前記第２の複数のＭＰＤＵも含むアグリゲートされたＭＰＤＵ（Ａ−ＭＰＤＵ）を備える、
Ｃ３７に記載の装置。
［Ｃ４６］
前記受信側から１つまたは複数のブロック確認応答フレームを取得するための手段と、前記１つまたは複数のブロック確認応答フレームは、前記第１の複数のＭＰＤＵのうちのどれが前記受信側によって成功裏に受信されたかを示す、
前記受信側によって成功裏に受信されなかったものとして前記１つまたは複数のブロック確認応答フレームによって示された少なくとも１つのＭＰＤＵに対応する少なくとも１つのＭＳＤＵを破棄するための手段と、
前記受信側に前記破棄されたＭＰＤＵを処理することをスキップさせるために選択されるＭＰＤＵ開始シーケンス番号（ＳＳＮ）およびＭＳＤＵ ＳＳＮについての値を有する少なくとも１つのフレームを生成するための手段と、
前記受信側への送信のために前記少なくとも１つのフレームを出力するための手段と
をさらに備える、Ｃ３７に記載の装置。
［Ｃ４７］
前記少なくとも１つのフレームは、ブロック確認応答要求フレームを備える、Ｃ４６に記載の装置。
［Ｃ４８］
ワイヤレス通信のための装置であって、
一意の媒体アクセス制御（ＭＡＣ）プロトコルデータユニット（ＭＰＤＵ）シーケンス番号と、別個のＭＡＣサービスデータユニット（ＭＳＤＵ）シーケンス番号とを各々が有する、第１の複数のＭＰＤＵを取得するための手段と、
前記第１の複数のＭＰＤＵの前記ＭＰＤＵおよびＭＳＤＵシーケンス番号に基づいて受信バッファを維持するための手段と
を備える、装置。
［Ｃ４９］
各ＭＰＤＵは、
前記一意のＭＰＤＵシーケンス番号の第１のインジケーションと、
前記ＭＳＤＵシーケンス番号の第２のインジケーションと、
前記ＭＰＤＵがＭＳＤＵの開始ＭＰＤＵであるかまたは終了ＭＰＤＵであるかの第３のインジケーションと
を備える制御フィールドを有し、前記維持するための手段は、
前記第３のインジケーションに基づいて、ＭＰＤＵが第１のＭＳＤＵの終了ＭＰＤＵであることを検出するための手段と、
前記第１のＭＳＤＵに関連付けられた全てのＭＰＤＵが成功裏に受信されているかどうかを、前記検出後に決定するための手段と、
前記決定が、前記第１のＭＳＤＵに関連付けられた全てのＭＰＤＵが成功裏に受信されているというものである場合に、前記受信バッファから前記第１のＭＳＤＵを解放するための手段と
を備える、
Ｃ４８に記載の装置。
［Ｃ５０］
前記第１のＭＳＤＵは、前記受信バッファが前記第１のＭＳＤＵのＭＳＤＵシーケンス番号より低いＭＳＤＵシーケンス番号の第２のインジケーションを有する制御フィールドを有するいかなるＭＰＤＵも含まない場合にのみ解放される、Ｃ４９に記載の装置。
［Ｃ５１］
少なくともＭＰＤＵ開始シーケンス番号（ＳＳＮ）およびＭＳＤＵ ＳＳＮに関連付けられたパラメータのセットを有する少なくとも１つのフレームを取得するための手段と、
前記ＭＳＤＵ ＳＳＮに基づいて次の予期されるシーケンス番号についての変数を初期化し、および前記ＭＰＤＵ ＳＳＮに基づいて開始ＭＰＤＵシーケンス番号についての変数を初期化するための手段と
をさらに備える、Ｃ４８に記載の装置。
［Ｃ５２］
前記パラメータのセットはまた、いくつのビットが前記ＭＰＤＵ ＳＳＮのために使用されるか、およびいくつのビットが前記ＭＳＤＵ ＳＳＮのために使用されるかを示し、
前記装置は、前記示されたビット数に基づいて前記ＭＰＤＵ ＳＳＮおよび前記ＭＳＤＵ ＳＳＮを決定するための手段を備える、
Ｃ５１に記載の装置。
［Ｃ５３］
ＭＰＤＵ開始シーケンス番号（ＳＳＮ）およびＭＳＤＵ ＳＳＮを示す少なくとも１つのフレームを取得するための手段と、
前記示されたＭＳＤＵ ＳＳＮより低いＭＳＤＵシーケンス番号または前記示されたＭＰＤＵ ＳＳＮより低いＭＰＤＵシーケンス番号のうちの少なくとも１つを有するＭＰＤＵを、前記受信バッファから破棄するための手段と
をさらに備える、Ｃ４８に記載の装置。
［Ｃ５４］
前記少なくとも１つのフレームは、ブロック確認応答要求フレームを備える、Ｃ５３に記載の装置。
［Ｃ５５］
ワイヤレスノードであって、
第１の媒体アクセス制御（ＭＡＣ）サービスデータユニット（ＭＳＤＵ）を、一意のＭＡＣプロトコルデータユニット（ＭＰＤＵ）シーケンス番号と、前記第１のＭＳＤＵに関連付けられた別個のＭＳＤＵシーケンス番号とを各々が有する、第１の複数のＭＰＤＵへと分割するように構成された少なくとも１つの処理システムと、
受信側に前記第１の複数のＭＰＤＵを送信するように構成された送信機と
を備える、ワイヤレスノード。
［Ｃ５６］
ワイヤレスノードであって、
一意の媒体アクセス制御（ＭＡＣ）プロトコルデータユニット（ＭＰＤＵ）シーケンス番号と、別個のＭＡＣサービスデータユニット（ＭＳＤＵ）シーケンス番号とを各々が有する、第１の複数のＭＰＤＵを受信するように構成された受信機と、
前記第１の複数のＭＰＤＵの前記ＭＰＤＵおよびＭＳＤＵシーケンス番号に基づいて受信バッファを維持するように構成された少なくとも１つの処理システムと
を備える、ワイヤレスノード。
［Ｃ５７］
第１の媒体アクセス制御（ＭＡＣ）サービスデータユニット（ＭＳＤＵ）を、一意のＭＡＣプロトコルデータユニット（ＭＰＤＵ）シーケンス番号と、前記第１のＭＳＤＵに関連付けられた別個のＭＳＤＵシーケンス番号とを各々が有する、第１の複数のＭＰＤＵへと分割することと、
受信側への送信のために前記第１の複数のＭＰＤＵを出力することと
を行うための命令を記憶した、コンピュータ可読媒体。
［Ｃ５８］
一意の媒体アクセス制御（ＭＡＣ）プロトコルデータユニット（ＭＰＤＵ）シーケンス番号と、別個のＭＡＣサービスデータユニット（ＭＳＤＵ）シーケンス番号とを各々が有する、第１の複数のＭＰＤＵを取得することと、
前記第１の複数のＭＰＤＵの前記ＭＰＤＵおよびＭＳＤＵシーケンス番号に基づいて受信バッファを維持することと
を行うための命令を記憶した、コンピュータ可読媒体。
【図１】
0006844042.tif 000002
【図２】
0006844042.tif 000003
【図３】
0006844042.tif 000004
【図４】
0006844042.tif 000005
【図４Ａ】
0006844042.tif 000006
【図５】
0006844042.tif 000007
【図５Ａ】
0006844042.tif 000008
【図６Ａ】
0006844042.tif 000009
【図６Ｂ】
0006844042.tif 000010
【図７Ａ】
0006844042.tif 000011
【図７Ｂ】
0006844042.tif 000012
【図８】
0006844042.tif 000013
【図９】
0006844042.tif 000014
【図１０】
0006844042.tif 000015
【図１１】
0006844042.tif 000016